(57)【特許請求の範囲】
【請求項１】
画面内にボタンを表示し、通常モードでは、操作された前記ボタンに応じて、表示中の画面から下位階層の画面と上位階層の画面の何れか一方に、表示する画面を切り替える表示部と、
前記表示部の画面に対する操作と、前記表示部に表示された前記ボタンに対する操作を受け付けるためのタッチパネル部と、
前記タッチパネル部の出力に基づき、前記タッチパネル部にタッチしたままタッチ位置を移動させる操作の操作速度、又は、前記タッチパネル部の出力に基づき、前記タッチパネル部にタッチしたままタッチ位置を移動させる操作がなされたときのタッチ位置の操作量を第１演算値として求める演算部と、を含み、
前記タッチパネル部が予め定められた第１操作を受け付けたとき、
前記表示部は、透過遷移モードとなり、前記透過遷移モードでは、現在表示中の画面である遷移元画面を時間の経過とともに次第に消して行き、時間の経過とともに、前記遷移元画面よりもひとつ下の階層に位置する遷移先画面の表示割合を増やす透過遷移表示を行い、前記遷移元画面の全透過により遷移が完了すると、前記遷移先画面を新たな前記遷移元画面とし、新たな前記遷移元画面よりもひとつ下の階層に位置する画面を新たな前記遷移先画面として、下位階層に向けての透過遷移表示を繰り返し、
前記演算部は、前記透過遷移モードでは、前記タッチパネル部に対して、２点のタッチを行った状態で、タッチ位置を予め定められた順方向に移動させる第２操作について前記第１演算値を求め、
前記表示部は、求められた前記第１演算値が大きいほど、前記遷移元画面から前記遷移先画面への遷移速度が速くなるように下位階層方向への透過遷移表示を行い、求められた前記第１演算値が小さいほど、前記遷移元画面から前記遷移先画面への遷移速度が遅くなるように下位階層に向けての透過遷移表示を行うことを特徴とする表示入力装置。
【請求項２】
前記タッチパネル部は、２点のタッチ位置のうち一方を移動させる操作である１点移動操作と、タッチ位置を回転させる操作のうち、何れか一方、又は両方を前記第２操作として受け付けることを特徴とする請求項１記載の表示入力装置。
【請求項３】
下位階層に向けて透過遷移表示を続けるとき、
前記表示部は、予め定められた画面遷移の経路を辿るように複数画面にわたる透過遷移表示を行うか、表示されていく画面中に配された前記ボタンのうち、予め定められた位置の前記ボタンが操作されたものとして複数画面にわたる透過遷移表示を行うか、又は、階層的に最も深く、下位の画面に到ることができる経路を辿るように複数画面にわたる透過遷移表示を行うことを特徴とする請求項１又は２に記載の表示入力装置。
【請求項４】
前記透過遷移モードの状態で、前記タッチパネル部が２点のタッチを行った状態で、前記第２操作での前記順方向と逆方向にタッチ位置を移動させる逆方向操作を受け付けたとき、
前記演算部は、前記タッチパネル部の出力に基づき、前記逆方向操作でのタッチ位置を移動させる操作の操作速度、または、前記逆方向操作でのタッチ位置の操作量を第２演算値として求め、
前記表示部は、下位階層に向けての透過遷移表示での画面の切替過程を遡って巻き戻し再生するように、上位階層に向けての透過遷移表示を行い、求められた前記第２演算値が大きいほど、巻き戻し再生の速度が速くなるように上位階層にむけての透過遷移表示を行い、求められた前記第２演算値が小さいほど、巻き戻し再生の速度が遅くなるように上位階層に向けての透過遷移表示を行うことを特徴とする請求項１乃至３の何れか１項に記載の表示入力装置。
【請求項５】
前記タッチパネル部は、２点のタッチ位置のうち一方を移動させる操作である１点移動操作と、タッチ位置を回転させる操作のうち、何れか一方、又は両方を前記第２操作として受け付け、タッチ位置を前記第２操作での前記順方向とは逆方向に回転させる操作と、前記第２操作での前記順方向とは逆方向への前記１点移動操作の何れか一方、又は両方を前記逆方向操作として受け付けることを特徴とする請求項４記載の表示入力装置。
【請求項６】
前記透過遷移モードで、前記逆方向操作がなされた後、前記第２操作がなされたとき、
前記表示部は、上位階層に遷移する透過遷移表示を停止し、下位階層に向けての透過遷移表示を再開することを特徴とする請求項４又は５に記載の表示入力装置。
【請求項７】
前記タッチパネル部は、画面内に表示された何れかの前記ボタンを長押しする操作、又は、画面内に表示された何れかの前記ボタンの表示位置をタッチした後、更にタッチを行う操作を前記第１操作として受け付け、
前記表示部は、前記第１操作がなされた画面を最初の前記遷移元画面とし、通常の操作で前記ボタンを操作すると表示される画面を最初の前記遷移先画面として、下位階層に向けての透過遷移表示を行うことを特徴とする請求項１乃至６の何れか１項に記載の表示入力装置。
【請求項８】
前記タッチパネル部が予め定められた終了操作を受け付けたとき、
前記表示部は、前記透過遷移モードを終了して通常モードに戻り、前記第１操作がなされた画面を表示することを特徴とする請求項１乃至７の何れか１項に記載の表示入力装置。
【請求項９】
前記タッチパネル部が予め定められた終了操作を受け付けたとき、
前記表示部は、前記透過遷移モードを終了して通常モードに戻り、前記遷移元画面と、前記遷移先画面のうち、何れかの画面を表示することを特徴とする請求項１乃至７の何れか１項に記載の表示入力装置。
【請求項１０】
請求項１乃至９の何れか１項に記載の表示入力装置を含むことを特徴とする画像形成装置。
【発明の詳細な説明】
【技術分野】
【０００１】
本発明は、表示部と、タッチパネル等を有する表示入力装置に関する。又、この表示入力装置を備えた画像形成装置に関する。
【背景技術】
【０００２】
例えば、装置、機器には、各種設定入力のために、表示画面を参照しつつ入力を行える表示入力装置が取り付けられることがある。このような表示入力装置により設定や文字の入力が可能とされる。そして、携帯電話端末などでは、設けられるハードキーの数が限られ、１つのキーに複数の役割（意味合い）を割り当てる場合がある。そのため、現在の状態でキーに割り当てられた処理を知らないために、入力ミスが生ずる場合や、キーを押す回数が増える場合がある。このような操作性の低下を防ぐため、以下のような技術が特許文献１に記載されている。
【０００３】
具体的に、特許文献１には、キーの押下をそのキーに割り付けられた処理の実行指示として入力する入力手段、キーが継続的に押下される長押し状態を検出する長押し検出手段、長押し状態となったことが検出された場合、入力手段による入力を禁止するとともに、キーに割り付けられた処理をユーザーに対して報知する所定の報知動作を行う報知手段とを備えた入力装置が記載されている。この構成によれば、各キーに割り付けた処理をユーザーが容易に確認できるようにしようとする（特許文献１：請求項１、段落［００２１］等参照）。
【先行技術文献】
【特許文献】
【０００４】
【特許文献１】特開２００２−３１２１０５号公報
【発明の概要】
【発明が解決しようとする課題】
【０００５】
複写機、複合機、プリンター、ＦＡＸ装置のような画像形成装置には、表示入力装置（「操作パネル」と称されることもある）が設けられることがある。そして、画像形成装置のような装置では、操作パネルは、設定項目を選択する画面や、設定値を設定するための画面を表示する。選択可能な設定項目や、設定可能な設定値は多数に及ぶので、画面は、複数（多数）の種類、用意される。
【０００６】
具体的に、使用者がある設定値を設定するために操作パネルに操作を行うと、通常、階層上、最上位の画面が最初に表示される。そして、画面上で設定項目（分類、カテゴリーともいえる）を選択するためのボタン（キー）を操作して（表示位置をタッチして）、次の階層の画面を表示させる。更に必要であれば、選択した設定項目内の下位の設定項目のうち、いずれかを選択するためのボタンを操作する。このようなボタンの選択が、所望の画面に到達するまでに繰り返される。言い換えると、所望の画面に到達するには、ボタンへの操作を繰り返し、適切な経路を辿るように画面の階層を１つずつ下っていく操作を行う必要がある。このように、操作パネルでの表示は、階層構造（ツリー状の構造）となっている。
【０００７】
従来、表示画面を切り替えるには、画面内のボタンを実際に操作する必要がある。言い換えると、ボタンの表示位置にタッチしなければ、画面の表示は切り替えられない。そのため、複数階層分、下位の画面を確認するには、複数回、実際にボタンを押し（ボタンを操作し）、実際に画面を切り替えなければならない。そのため、下位の階層にどのような画面があるか容易に確認しづらいという問題がある。特に、１度の操作では、現在の画面よりも２以上の下位階層の画面を確認できず、複数のボタンに対して操作を繰り返さなくてはならない。また、切り替え後の画面が所望の画面でなければ、もとの画面に戻る操作をしなくてはならない。そのため、所望の画面に到達し、設定値を設定するには、多くの時間や操作が必要となる場合もある。
【０００８】
また、画像形成装置の設定を完了するには、１〜２階層よりも更に多くの階層を降りてゆかなくてはならない場合がある（例えば、システムに関する設定）。このような場合、画面の遷移（下位の階層方向への画面の切替）を繰り返す必要がある。また、目的とする画面の階層が深いため、なかなか所望の画面に至る経路を探し当てられず、誤った画面への遷移と、戻る操作を繰り返す場合もある。
【０００９】
ここで、特許文献１記載の携帯電話端末は、長押ししたキーに割り当てられた機能（処理）が表示させる。しかし、割り当てられた機能を表示するのみで、どのような画面が表示されるか、実際にボタンを押さなければ確認することができない。また、表示画面の階層を遷移するには、その都度、ボタンに対する操作が必要であり、１度の操作で複数階層隔てた画面を確認することができない。また、誤ってキーを押す操作と、その後の戻る操作の繰り返しによって、現在の階層がどの階層であるかわからなくなる可能性もある。
【００１０】
本発明は、上記の問題点に鑑み、ボタン（キー）に対する簡単な操作に基づき、複数画面分の遷移を可能として、どのような画面があるかを確認しやすくしつつ、遷移の速度（画面の切り替え時間）を簡単な操作により自由に定められるようにする。
【課題を解決するための手段】
【００１１】
上記課題解決のため請求項１に係る表示入力装置は、画面内にボタンを表示し、通常モードでは、操作された前記ボタンに応じて、表示中の画面から下位階層の画面と上位階層の画面の何れか一方に、表示する画面を切り替える表示部と、前記表示部の画面に対する操作と、前記表示部に表示された前記ボタンに対する操作を受け付けるためのタッチパネル部と、前記タッチパネル部の出力に基づき、前記タッチパネル部にタッチしたままタッチ位置を移動させる操作の操作速度、又は、前記タッチパネル部の出力に基づき、前記タッチパネル部にタッチしたままタッチ位置を移動させる操作がなされたときのタッチ位置の操作量を第１演算値として求める演算部と、を含み、前記タッチパネル部が予め定められた第１操作を受け付けたとき、前記表示部は、透過遷移モードとなり、前記透過遷移モードでは、現在表示中の画面である遷移元画面を時間の経過とともに次第に消して行き、時間の経過とともに、前記遷移元画面よりもひとつ下の階層に位置する遷移先画面の表示割合を増やす透過遷移表示を行い、前記遷移元画面の全透過により遷移が完了すると、前記遷移先画面を新たな前記遷移元画面とし、新たな前記遷移元画面よりもひとつ下の階層に位置する画面を新たな前記遷移先画面として、下位階層に向けての透過遷移表示を繰り返し、前記演算部は、前記透過遷移モードでは、前記タッチパネル部に対して、２点のタッチを行った状態で、タッチ位置を予め定められた順方向に移動させる第２操作について前記第１演算値を求め、前記表示部は、求められた前記第１演算値が大きいほど、前記遷移元画面から前記遷移先画面への遷移速度が速くなるように下位階層方向への透過遷移表示を行い、求められた前記第１演算値が小さいほど、前記遷移元画面から前記遷移先画面への遷移速度が遅くなるように下位階層に向けての透過遷移表示を行うこととした。
【発明の効果】
【００１２】
本発明によれば、従来のように、ボタンを何度も選択することなく、ボタン（キー）に対する簡単なジェスチャー操作を行うだけで、複数画面にわたる画面切り替えを自動的に行わせることができる。しかも、遷移は、次第に透過するように行われるので、階層の上下関係を把握しつつ、各階層に配される画面や、表示における画面の階層構造を容易に確認することができる。また、遷移速度（画面の切り替え時間）を簡単な操作により定めることができる。
【図面の簡単な説明】
【００１３】
【図１】実施形態に係る複合機の一例を示す図である。
【図２】実施形態に係る操作パネルの一例を示す図である。
【図３】実施形態に係る複合機のハードウェア構成の一例を示す図である。
【図４】実施形態に係る操作パネルの画面表示の階層構造の一例を示す図である。
【図５】実施形態に係る操作パネルで表示される画面の一例を示す図である。
【図６】実施形態に係る操作パネルで表示される画面の一例を示す図である。
【図７】実施形態に係る操作パネルで表示される画面の一例を示す図である。
【図８】実施形態に係る操作パネルで表示される画面の一例を示す図である。
【図９】実施形態に係る操作パネルで表示される画面の一例を示す図である。
【図１０】実施形態に係る操作パネルで表示される画面の一例を示す図である。
【図１１】実施形態に係る操作パネルでの透過遷移表示の一例を示す図である。
【図１２】実施形態に係る操作パネルでの複数の階層にわたる下位階層に向けての透過遷移表示の一例を示す図である。
【図１３】実施形態に係る操作パネルでの透過遷移表示の設定画面の一例を示す図である。
【図１４】実施形態に係る操作パネルでの第２操作の一例を説明するための図面である。
【図１５】実施形態に係る操作パネルでの第２操作の一例を説明するための図面である。
【図１６】実施形態に係る操作パネルでの下位階層に向けての透過遷移での１階層あたりの遷移速度を定めた速度設定用データの一例を示す図である。
【図１７】実施形態に係る操作パネルでの透過遷移表示の遷移操作設定画面の一例を示す図である。
【図１８】実施形態に係る操作パネルでの上位階層への遷移を説明するための図である。
【図１９】実施形態に係る操作パネルでの逆方向操作の一例を示す図面である。
【図２０】実施形態に係る操作パネルでの逆方向操作の一例を示す図面である。
【図２１】実施形態に係る操作パネルでの上位階層への透過遷移での１階層あたりの遷移時間を定めた遷移速度設定用データの一例を示す図である。
【図２２】実施形態に係る操作パネルでの透過遷移表示の流れの一例を示すフローチャートである。
【発明を実施するための形態】
【００１４】
本発明の実施形態を図１〜図２２を用いて説明する。ここで、本発明は、各種表示入力装置に適用可能であるが、複合機１００（画像形成装置に相当）に設けられた操作パネル１（表示入力装置に相当）を例に挙げ説明する。但し、本実施の形態に記載されている構成、配置等の各要素は、発明の範囲を限定せず、単なる説明例にすぎない。
【００１５】
（複合機１００の概略構成）
まず、図１に基づき、実施形態に係る複合機１００本体の概略を説明する。図１は、実施形態に係る複合機１００の一例を示す図である。
【００１６】
本実施形態の複合機１００は、上部に画像読取部２ａ、原稿搬送部２ｂ、操作パネル１等が設けられる（操作パネル１の詳細は後述）。原稿搬送部２ｂは、原稿載置トレイ２１に積載された原稿を１枚ずつ連続的に画像読取部２ａの読取位置（送り読取用コンタクトガラス２２）に向けて搬送する。又、原稿搬送部２ｂは、図１の紙面奥側に設けられた支点（不図示）により、手前側を振るようにして開閉可能である。例えば書籍等の原稿を載置読取用コンタクトガラス２３に載せ、原稿搬送部２ｂを閉じることで原稿を抑えることができる。画像読取部２ａは、送り読取用コンタクトガラス２２を通過する原稿、又は、載置読取用コンタクトガラス２３に載置された原稿を読み取り、画像データを生成する。生成された原稿の画像データは、コピーや送信などに用いられる。
【００１７】
また、複合機１００本体内部に、印刷部３が設けられる。印刷部３は、給紙部３ａ、搬送部３ｂ、画像形成部３ｃ、中間転写部３ｄ、定着部３ｅを含む。
【００１８】
給紙部３ａは、印刷に用いる用紙を収容、供給する。搬送部３ｂは、装置内で用紙を搬送する通路である。画像形成部３ｃは、各色（ブラック、イエロー、シアン、マゼンタ）の画像形成ユニット３１Ｂｋ、３１Ｙ、３１Ｃ、３１Ｍと画像形成ユニット３１Ｂｋ〜３１Ｍのそれぞれに設けられた感光体ドラムを露光する露光装置３２を含む。各画像形成ユニット３１Ｂｋ、３１Ｙ、３１Ｃ、３１Ｍと露光装置３２は、画像データに基づき、各色のトナー像を生成する。中間転写部３ｄは、生成されたトナー像を各画像形成ユニット３１Ｂｋ、３１Ｙ、３１Ｃ、３１Ｍからずれなく重畳しつつ１次転写を受け、給紙部３ａから供給された用紙にトナー像を２次転写する。定着部３ｅは、用紙に転写されたトナー像を定着させる。搬送部３ｂは、定着部３ｅを通過した用紙を排出トレイ３３に排出する。
【００１９】
（操作パネル１）
次に、図２を用いて、実施形態に係る操作パネル１の一例を説明する。図２は、実施形態に係る操作パネル１の一例を示す図である。
【００２０】
操作パネル１は、コピー等の印刷や原稿読取や画像データの送信の設定を行うための表示入力装置として機能する。そして、図１に示すように、複合機１００の正面上方に設けられる。そして、図２に示すように、操作パネル１は、表示部１１を含む。
【００２１】
表示部１１は、液晶表示パネルである。しかし、画面、画像を表示できるものであればよく、有機ＥＬ表示パネルのように、液晶パネル以外の表示パネルを用いてもよい。そして、表示部１１は、設定する設定項目（用いる機能）を選択するため画面や、設定値を設定するための画面を表示する。また、表示部１１は、設定項目の選択、設定値の設定、設定の完了、設定のキャンセル、ジョブの実行指示を行うためのボタン（キー）、説明する文字などの画像を各画面内に表示する。使用者は、表示部１１に表示されたボタンに対して操作を行う（ボタンの表示位置をタッチする）ことで、印刷、スキャン、送信など複合機１００で実行できるジョブに関する設定を行う。
【００２２】
又、表示部１１の上面には、タッチパネル部１２が設けられる。タッチパネル部１２はタッチされた位置、座標を検知するためのものである。尚、タッチパネル部１２には、複数点のタッチを検知できるものが用いられる（例えば、静電容量方式）。
【００２３】
又、操作パネル１には、以下のようなハードキーが設けられる。例えば、数字入力用のテンキー部１３や、各種設定後、コピー等の処理開始指示用のスタートキー１４が設けられる。又、コピー機能を利用する際に押されるコピーキー１５、スキャナ機能、ＦＡＸ機能のような送信機能を利用する際に押される送信キー１６のような機能を選択するためのキーも設けられる。また、部門管理やユーザー管理や通信設定など、複合機１００のシステム的な設定を行うときに押されるシステムメニューキー１７も設けられる。
【００２４】
（複合機１００のハードウェア構成）
次に、図３に基づき、実施形態に係る複合機１００のハードウェア構成を説明する。図３は、実施形態に係る複合機１００のハードウェア構成の一例を示す図である。
【００２５】
複合機１００内には、主制御部４が設けられる。主制御部４は、例えば、操作パネル１、画像読取部２ａ、原稿搬送部２ｂ、印刷部３（給紙部３ａ、搬送部３ｂ、画像形成部３ｃ、定着部３ｅ）などの制御を行う。
【００２６】
主制御部４は、例えば、ＣＰＵ４１等の処理、演算を行う素子を含む。ＣＰＵ４１は、記憶部４２に格納され、展開される制御プログラムに基づき演算等を行い、複合機１００の各部を制御する。尚、主制御部４は、全体制御や画像処理を行う制御部と、画像形成や各種回転体を回転させるモータ等のＯＮ／ＯＦＦ等を行い、印刷を制御するエンジン制御部を分割するなど、機能ごとに分割されてもよい。
【００２７】
記憶部４２は、主制御部４と通信可能に接続される。記憶部４２は、ＲＯＭ、ＲＡＭ、ＨＤＤ等の不揮発性と揮発性の記憶装置を組み合わせて構成される。記憶部４２は、複合機１００の制御用プログラム、制御用データ、設定データ、画像データ等の各種データを記憶できる。
【００２８】
そして、主制御部４は、各種コネクタ、ソケットやＦＡＸモデム等を備えた通信部４３（通信インターフェイス）と通信可能に接続される。通信部４３はネットワークや公衆回線等により複数の外部のコンピューター２００（例えば、パーソナルコンピューターやサーバー）や相手方ＦＡＸ装置３００（図７では、いずれも便宜上１つのみ図示）と接続される。例えば、通信部４３を用いて、画像読取部２ａでの原稿読み取りで得られた画像データをコンピューター２００や相手方ＦＡＸ装置３００に送信することができる（スキャナ機能、ＦＡＸ機能）。又、通信部４３を用いて、コンピューター２００や相手方ＦＡＸ装置３００から送信され、複合機１００に入力される画像データに基づき印刷等を行うこともできる（プリンター機能、ＦＡＸ機能）。
【００２９】
又、例えば、主制御部４には、画像読取部２ａで原稿を読み取って得られた画像データや通信部４３を介して複合機１００に入力された画像データに対し、画像処理を施す画像処理部４４が設けられる。画像処理部４４が処理した画像データは、画像形成部３ｃに送信され印刷に用いられたり、記憶部４２に記憶されたり、通信部４３からコンピューター２００等に送信される。
【００３０】
又、主制御部４は、操作パネル１と通信可能に接続される。主制御部４は、操作パネル１になされた入力内容、設定内容を示す信号を操作パネル１から受信し、使用者の設定にあわせてコピーや送信のようなジョブが行われるように印刷部３、原稿搬送部２ｂ、画像読取部２ａ、通信部４３、記憶部４２などを制御する。
【００３１】
次に、本実施形態の操作パネル１について説明する。操作パネル１は、パネル制御部１０、メモリー１８、表示部１１、タッチパネル部１２、テンキー部１３、スタートキー１４、コビーキー１５、送信キー１６、システムメニューキー１７などを含む。
【００３２】
パネル制御部１０（演算部に相当）は、ＣＰＵやＩＣや表示部１１のパネルのドライバ回路などを含む。パネル制御部１０は、表示部１１の表示を制御する。又、パネル制御部１０は、タッチパネル部１２の出力を受け、表示部１１（タッチパネル部１２）で押された（タッチされた）位置の座標を認識する。タッチパネル部１２の出力と座標の対応を示すテーブル等のデータは、メモリー１８に記憶される。パネル制御部１０は、押された位置の座標と、表示部１１に表示されている画面の画像データを比較して、画面上で操作された（押された）ボタンを特定、認識する。又、パネル制御部１０は、ハードキーからの信号を受け、いずれのハードキーが押されたかを認識する。
【００３３】
また、メモリー１８には、タッチパネル部１２に対する操作（各画面に配されるボタンへの操作）や、ハードキーへの操作に応じて、各画面を表示するため画面用データＤ１が記憶される。画面用データＤ１は、各画面ごとに、画面の背景データや、枠組みの画像データや、画面に表示するボタンやメッセージ、説明文などのデータ（画像データやテキストデータ）など、表示に要する各種データを含む。パネル制御部１０は、操作に応じ、画面データのうち、次に表示する画面の表示に要するデータを読み出し、表示部１１に画面を切り替えさせる。
【００３４】
（画面表示の階層構造）
次に、図４を用いて、本実施形態に係る操作パネル１での画面表示の階層構造について説明する。図４は、実施形態に係る操作パネル１の画面表示の階層構造の一例を示す図である。
【００３５】
本実施形態の操作パネル１では、画面表示（表示される画面）は階層的な構造となっている。システムメニューキー１７や、コピーキー１５や、送信キー１６のような機能選択キーを押すと、選択した機能に対応するメインメニュー画面５１が表示される。例えば、コピーはコピー、送信は送信、システム設定はシステム設定のメインメニュー画面が用意される。各メインメニュー画面は、図４での第１階層（最上位階層）に相当する。
【００３６】
パネル制御部１０は、画面に表示されたボタンが操作されると、操作されたボタンに対応する１つ下の階層の画面を表示部１１に表示させる（画面切替）。また、画面内には、例えば、戻るボタンＢ１４のような、上位階層に戻るためのボタンが配される。パネル制御部１０は、戻るボタンＢ１４が操作されると、表示中の画面よりもひとつ上の階層の画面を表示部１１に表示させる。
【００３７】
そして、図４において、目印として枠で囲った画面（画面Ｃ３、画面Ｄ２など）は、遷移の経路上の最下位の階層を示している。言い換えると、目印として枠で囲った画面は、その経路では、更に下位の階層がなく終点の画面にあたる。最下位の階層の画面は、例えば、設定値を選び、設定するための画面である。図４に示すように、設定値を設定するための画面は全て同じ階層に位置するわけではなく、最下位の階層が何階層目に当たるかは経路（画面）により異なる。言い換えると、画面の種類により、最下位の階層に到達するまでにボタンを操作する回数が異なる。
【００３８】
このような階層構造を有しているので、使用者は、目的とする画面に到達するには、第１階層（最上位の階層）から目的とする画面（所望の画面）に到るまでの経路を辿るように、ボタンを複数回操作する。
【００３９】
（通常の画面切り替え操作）
使用者は、本実施形態の操作パネル１を、透過遷移表示を行う透過遷移モードとすることができる。しかし、まず、図５〜図１０を用いて、通常の（通常モードでの）画面切り替え操作を説明する。図５〜図１０は、実施形態に係る操作パネル１で表示される画面の一例を示す図である。
【００４０】
本説明では、複合機１００のシステムに関する設定を行う場合を例に挙げて説明する。具体的に、操作パネル１でシステムメニューキー１７（図２参照）を押して、ユーザー管理に関する設定を行う場合について説明する。他の設定（経路）についても同様であるが、説明を割愛する。
【００４１】
図５は、システムメニューキー１７を押すと表示されるメインメニュー画面５１の一例を示す。パネル制御部１０は、システムメニューキー１７が押されると、メインメニュー画面５１を表示部１１に表示させる。メインメニュー画面５１は、システムの設定に関する画面のうち、最上位階層の画面である。そして、通常モードでは、使用者は、目的の画面に到達するようにボタンへの操作を繰り返す。具体的に、通常モードでは、パネル制御部１０は、ユーザー管理ボタンＢ１の操作（表示位置へのタッチ）がなされ、透過遷移モード（詳細は後述）で表示を行うための第１操作がなされることなく、指を離す操作がなされると、表示部１１に画面を切り替えさせる。
【００４２】
メインメニュー画面５１には、複数のボタンが配される。メインメニュー画面５１に配されるボタンは、設定項目の大きな分類を示す。ユーザー管理に関する設定を行うとき、使用者は、ユーザー管理ボタンＢ１（「ユーザー管理」の文字列を含むボタン）を操作する（表示位置をタッチする。以下、同様。）。尚、メインメニュー画面５１内のユーザー管理ボタンＢ１以外のボタンを操作すると、対応する画面が表示されるが、詳細については、説明を割愛する。
【００４３】
図６に示すように、ユーザー管理ボタンＢ１が操作されると、パネル制御部１０は、１つ下の階層にあたるユーザー管理画面５２を表示部１１に表示させる。ユーザー管理画面５２には、認証方式ボタンＢ２（「ユーザー管理」の文字列に付随、対応し、「変更」の文字列を含むボタン）と、ユーザーリストボタンＢ３（「ローカルユーザーリスト」の文字列に付随、対応し、「登録・編集」の文字列を含むボタン）と、ローカル認可ボタンＢ４（「ローカル認可」の文字列に付随、対応し、「変更」の文字列を含むボタン）と、ゲスト認可ボタンＢ５（「ゲスト認可設定」の文字列に付随、対応し、「変更」の文字列を含むボタン）が表示される。認証方式ボタンＢ２は、ローカル認証（複合機１００に記憶された使用者情報に基づく認証）を行うか、ネットワーク認証（ネットワーク経由でサーバーに記憶された使用者情報に基づく認証）を行うかを設定するための画面を表示させるボタンである。ユーザーリストボタンＢ３は、複合機１００の使用許可を与える使用者を登録、編集するためのボタンである。ローカル認可ボタンＢ４は、ユーザー単位で、使用できる機能（例えば、コピーやスキャンや送信などの機能）を制限、解除するための画面を表示させるボタンである。ゲスト認可ボタンＢ５は、本来、複合機１００やサーバーに登録されていないため、認証を受けられず複合機１００を使用できない者（ゲスト）に対する設定を行うための画面を表示させるためのボタンである。
【００４４】
ユーザー管理画面５２でゲスト認可ボタンＢ５が操作されると、図７に示すように、パネル制御部１０は、１つ下の階層にあたるゲスト認可設定画面５３を表示部１１に表示させる。尚、ユーザー管理画面５２で、ゲスト認可ボタンＢ５以外のボタンが押されると対応する画面か表示されるが、詳細については、説明を割愛する。
【００４５】
ゲスト認可設定画面５３には、ゲスト認可可否ボタンＢ６（「ゲスト認可」の文字列に付随、対応し、「変更」の文字列を含むボタン）と、ゲストプロパティボタンＢ７（「ゲストプロパティ」の文字列に付随、対応し、「変更」の文字列を含むボタン）が表示される。ゲスト認可可否ボタンＢ６は、ゲスト（複合機１００に登録されていない使用者）に一時的に複合機１００の使用を認めるか否かを設定するための画面を表示させるボタンである。ゲストプロパティボタンＢ７は、ゲストの情報（ゲストのプロパティ）を設定するための画面を表示させるボタンである。
【００４６】
ゲスト認可設定画面５３でゲストプロパティボタンＢ７が操作されると、図８に示すように、パネル制御部１０は、１つ下の階層にあたるゲストプロパティ設定画面５４を表示部１１に表示させる。尚、ゲスト認可設定画面５３で、ゲストプロパティボタンＢ７以外のボタンが押されたとき、対応する画面か表示されるが、詳細については、説明を割愛する。
【００４７】
ゲストプロパティ設定画面５４には、ゲストを使用者と扱う場合における情報を設定するためのボタンが計７個配される。ゲストプロパティ設定画面５４に配された何れかのボタンをタッチすることで、図８に示すように、ユーザー名（＝ゲスト名）、ゲストとしてログインするためのログイン名、ゲストとしてログインするためのパスワードなどを設定することができる。文字列の入力の必要な設定項目（例えば、ユーザー名＝ゲスト名など）に対応するボタンが操作されると、パネル制御部１０は、文字列入力用のソフトウェアキーボード（不図示）を表示させる。また、ゲストプロパティ設定画面５４に配されるボタンのうち、認可情報ボタンＢ８（「認可情報」の文字列に付随、対応し、「変更」の文字列を含むボタン）は、複合機１００の機能（コピーや送信など）のうち、ゲストが利用できる機能の制限や、ゲストが利用できる機能を変更するための画面を表示させるボタンである。
【００４８】
ゲストプロパティ設定画面５４で認可情報ボタンＢ８が操作されると、図９に示すように、パネル制御部１０は、１つ下の階層にあたる使用制限設定画面５５を表示部１１に表示させる。尚、ゲストプロパティ設定画面５４で、認可情報ボタンＢ８以外のボタンが押されたとき、対応する画面か表示されるが、詳細については、説明を割愛する。
【００４９】
使用制限設定画面５５には、ゲストが使用できる機能を制限するためのボタンが計９個配される。使用制限設定画面５５に配されたボタンを操作して、使用者がゲストであるときに使用できる機能を定めることができる。
【００５０】
例えば、印刷に関し、ゲストが、複合機１００をコピー機や、プリンターとして利用できるか否かを設定できる。また、コピーやプリントでは、ゲストが、カラー印刷できるか否かを設定できる。また、送信に関し、ゲストが、画像読取部２ａが読み取った画像データを、外部メモリー１８や記憶部に記憶させることを認めるか否かの設定や、ネットワークやＦＡＸによる送信を認めるか否かの設定を行うことができる。そして、使用制限設定画面５５に配されるボタンのうち、送信制限ボタンＢ９（「送信制限」の文字列に付随、対応し、「変更」の文字列を含むボタン）は、ゲストが、複合機１００の機能のうち、ネットワークのコンピューター２００や記憶装置に、画像データを送信（ファクシミリ送信を除く）する機能を利用できるか否かを設定するための画面を表示させるボタンである。
【００５１】
使用制限設定画面５５で送信制限ボタンＢ９が操作されると、図１０に示すように、パネル制御部１０は、１つ下の階層にあたる送信制限設定画面５６を表示部１１に表示させる。尚、使用制限設定画面５５で、送信制限ボタンＢ９以外のボタンが押されたとき、操作されたボタンに対応する画面か表示されるが、詳細については、説明を割愛する。
【００５２】
送信制限設定画面５６は、設定値を設定するための画面であり、階層的に最下層の画面である。送信制限設定画面５６では、「ゲストに送信を認める」という設定値と、「ゲストに送信を認めない」という設定値のうち、何れかを選択することができる。
【００５３】
具体的に、送信制限設定画面５６には、送信制限を実行させるための制限実行ボタンＢ１０（「設定する」の文字列を含むボタン）と、送信制限をかけないようにするための制限不実行ボタンＢ１１（「設定しない」の文字列を含むボタン）が表示される。パネル制御部１０は、制限実行ボタンＢ１０が操作され、ＯＫボタンＢ１２（「ＯＫ」の文字列を含むボタン）が操作されると、送信制限を行う設定がなされたと認識する。パネル制御部１０は、主制御部４に設定内容を伝達する。その結果、主制御部４は、通信部４３を制御し、画像データを複合機１００から送信できなくする。あるいは、パネル制御部１０は、ゲストによる送信実行指示を受け付けず、無視する。一方、パネル制御部１０は、制限不実行ボタンＢ１１が操作され、ＯＫボタンＢ１２が操作されると、送信制限を行わない設定がなされたと認識する。この場合、パネル制御部１０はゲストになされた送信に関する設定内容を主制御部４に伝達し、主制御部４は、伝達された設定内容に即した送信ジョブが実行されるように、通信部４３や画像読取部２ａを制御する。
【００５４】
ここで、最下位の階層の画面（設定値を設定する画面）には、ＯＫボタンＢ１２が配される。言い換えると、図１０の画面以外の画面でも、設定値を設定する画面には、ＯＫボタンＢ１２が配される場合がある。ＯＫボタンＢ１２に対する操作がなされ、設定値の設定が完了すると、パネル制御部１０は、画面を最上位階層の画面に切り替える（基本画面に戻す）。
【００５５】
また、各画面には、設定をキャンセルするためのキャンセルボタンＢ１３（「キャンセル」の文字列を含むボタン）も配される。キャンセルボタンＢ１３に対する操作がなされると、パネル制御部１０は、現在の設定値を変更せず、また、画面を最上位階層の画面を表示部１１に表示させる。また、最上位階層以外の画面には、戻るボタンＢ１４（「戻る」の文字列を含むボタン）が配される。戻るボタンＢ１４に対する操作がなされると、パネル制御部１０は、画面を現在の画面からひとつ上の階層の画面を表示部１１に表示させる（経路を戻らせる）。
【００５６】
このように、表示部１１は、画面内にボタンを表示し、表示部１１に表示されたボタンに対する操作を受け付けるためのタッチパネル部１２の出力に基づき、表示中の画面から下位階層の画面と、上位階層の画面の何れか一方に、表示する画面を切り替える。
【００５７】
（透過遷移表示）
次に、図１１〜図１３を用いて、本実施形態の操作パネル１の透過遷移表示の概要を説明する。図１１は、実施形態に係る操作パネル１での透過遷移表示の一例を示す図である。図１２は、実施形態に係る操作パネル１での複数の階層にわたる下位階層に向けての透過遷移表示の一例を示す図である。図１３は、実施形態に係る操作パネル１での透過遷移表示の設定画面の一例を示す図である。
【００５８】
本実施形態の操作パネル１では、タッチパネル部１２が透過遷移表示を行う指示として予め定められた第１操作を受け付けたとき、パネル制御部１０は、表示部１１のモードを透過遷移表示により画面の切替を行う透過遷移モードとする。ここで、パネル制御部１０は、下位階層に向けての透過遷移表示では、現在表示中の画面である遷移元画面を時間の経過とともに次第に消して行き、遷移元画面よりもひとつ下の階層に位置する遷移先画面を、時間の経過とともに表示される割合を増やして、表示する画面を遷移させていく表示を表示部１１に行わせる（下位階層から上位階層に遷移するときも同様な画面変化）。言い換えると、パネル制御部１０は、下位階層に向けて透過遷移表示を行うとき、上位階層の画面を次第に消して行き、下位階層の画面が次第に現れるように、表示部１１に表示を行わせる。
【００５９】
具体的に、図１１を用いて説明する。図１１は、ユーザー管理画面５２（図６参照）からゲスト認可設定画面５３（図７参照）に向けて、透過遷移表示を行うときの画面切替の一例を示している。
【００６０】
具体的に、パネル制御部１０は、透過遷移モードでは、下位階層に向けて透過遷移表示を行うとき、遷移元画面（上位階層の画面）の画素を、段階的に（次第に）遷移先画面（下位階層の）に置き換えていく。遷移元画面から遷移先画面に透過（遷移）を完了するまでの時間（遷移速度）は、操作により可変であるが、詳細は後述する。
【００６１】
例えば、パネル制御部は、周期的に所定回数、遷移元画面からの遷移元画面の画素への置き換えを行って、段階的に遷移元画面に重なるように（浮いてくるように）遷移先画面を表示させてゆき、最終的に遷移元画面への切り替え（遷移元画面への１００％の透過）を完了させる。言い換えると、パネル制御部１０は、遷移の開始時点（後述の第２操作がなされて、遷移速度が設定された後）から、一定周期で、遷移元画面内の画素を一定数、遷移先画面の画素に置き換える処理を所定回数、繰り返す。尚、所定回数（遷移開始から完了までのステップ数）は、適宜定めることができる（例えば、１００回など）。
【００６２】
一定数の画素の置き換えを所定回数、繰り返すことで、遷移元画面が段階的に（次第に）消えて行き、遷移先画面が段階的に（次第に）現れるような透過的な（アニメーション的な）表示する画面の切替を行うことができる（図１１の中段の図参照）。尚、この置き換え処理と次の置き換え処理の間隔（画素の置き換え処理の周期）は、第２操作により調整することができる（詳細は後述）。
【００６３】
尚、図１１の中段の図に示すように、画面の遷移中であることをより明確に示すため、パネル制御部１０は、遷移元画面から遷移先画面への遷移中、薄い色を付す表示や、網掛け表示を画面全体に対して施すように表示部１１に表示させてもよい。そして、遷移元画面から遷移先画面への画面中の全ての画素の置き換えを完了すると、パネル制御部１０は、薄い色を付す表示や、網掛け表示を画面全体に対して施す表示を停止させる。
【００６４】
尚、透過遷移表示は、上記のような遷移パターンに限らず、他の表現手法により、遷移元画面から遷移先画面に変化させるようにしてもよい。例えば、表示部１１の上下左右の何れかの一辺から対辺に向けて、遷移元画面の画素をライン単位で、次第に遷移先画面の画素に置き換えるようにしてもよい（一部透過的な表現）。あるいは、表示部１１の何れかの辺から遷移先画面がスライドするように現れるようにしてもよい。
【００６５】
このように、１回に置き換える画素の数や、置き換える画素の位置を工夫することで、様々な透過効果を表現することができる。このような透過遷移表示を行うためのプログラムは、透過遷移表示用プログラムＤ２として、メモリー１８に記憶される（図３参照）。パネル制御部１０は、透過遷移表示用プログラムＤ２に基づき、表示部１１の表示を変化させる。
【００６６】
そして、図１２に示すように、パネル制御部１０は、遷移元画面が全て透過し、遷移先画面が全て表示された状態で、タッチパネル部１２へのタッチが続けられているとき、遷移が完了した遷移先画面を新たな遷移元画面とし、新たな遷移元画面よりもひとつ下の階層に位置する画面を新たな遷移先画面として、透過遷移表示を表示部１１に繰り返させる（続けさせる）。これにより、ボタンに対し何度も操作することなく、下位階層方向に向けての画面の切替を繰り返させることができる。従って、簡単な操作で下位階層にどのような画面があるかを容易に確認することができる。
【００６７】
例えば、ユーザー管理画面５２で第１操作がなされ、透過遷移モードとなり、下位階層に向けての透過遷移表示が繰り返されたとき、パネル制御部１０は、ユーザー管理画面５２→ゲスト認可設定画面５３→ゲストプロパティ設定画面５４→使用制限設定画面５５→送信制限設定画面５６の順に画面を切り替え、各画面の切替では表示部１１に透過遷移表示を行わせる（図１２参照）。
【００６８】
次に、第１操作について説明する。本実施形態のタッチパネル部１２は、画面内に表示された何れかのボタンの表示位置を長押しする操作を第１操作（透過遷移モードへの切替指示入力）として受け付ける。そして、パネル制御部１０は、何れかのボタンに対する長押し操作を、透過遷移モードで表示する旨の指示入力（透過遷移モードへの切替指示入力）と認識する。具体的には、パネル制御部１０は、タッチパネル部１２の出力に基づき、ボタンの表示位置がタッチされてから、予め定められた長押し時間（例えば、０．５〜数秒程度）継続して、同じボタンの表示領域内がタッチされ続けているとき、長押し（第１操作）がなされたと認識する。
【００６９】
尚、長押しを続けていると、長押し位置からタッチ位置がずれてしまうことがある。また、手のけがなどや、先天的に、同じ位置を押し続けることが難しい使用者もいる。そこで、パネル制御部１０は、タッチパネル部１２の出力に基づいてタッチ位置がずれたと認識しても、長押し時間内のタッチ位置のずれ量（タッチ位置の操作量）が、予め定められた許容範囲であれば、長押しされていると判断するようにしてもよい。
【００７０】
又、タッチパネル部１２は、画面内に表示された何れかのボタンの表示位置をタッチした後、更にタッチを行う一連の操作（２点タッチ）を第１操作（透過遷移モードへの切替指示入力）として受け付けるようにしてもよい。
【００７１】
タッチパネル部１２の第１操作の受け付け（パネル制御部１０による第１操作の認識）をトリガーとして、パネル制御部１０は、表示部１１での表示を、通常モードから透過遷移モードに切替させる。尚、タッチパネル部１２から全ての指を離すと、透過遷移モードが終了し、通常の入力モードに戻すことができる（詳細は後述）。
【００７２】
そして、タッチパネル部１２が更に第２操作を受け付けると（第１操作に加え、第２操作をトリガーとして）、パネル制御部１０は、下位階層に向けての透過遷移表示を表示部１１に開始させる（第２操作などの詳細は後述）。尚、パネル制御部１０は、第１操作がなされると（第１操作をトリガーとして）、予め定められた基準遷移速度で画面切替がなされるように、下位階層に向けての透過遷移表示を表示部１１に開始させてもよい。そして、透過遷移モードでは、上位階層方向への遷移指示や、透過遷移モードの終了がなされない限り、パネル制御部１０は、透過遷移表示による下位階層の画面への切り替えを表示部１１に繰り返させる。
【００７３】
そして、パネル制御部１０は、最初の透過遷移表示では、第１操作がなされた画面を遷移元画面とし、通常の操作で（通常モードで）第１操作を行ったボタンを操作すると表示される画面を遷移先画面として、透過遷移表示を表示部１１に行わせる。具体的に、図１１、図１２では、ユーザー管理画面５２でゲスト認可ボタンＢ５（「ゲスト認可設定」の文字列に付随、対応し、「変更」の文字列を含むボタン）に対する操作を含む第１操作がなされたことにより、パネル制御部１０は、１回目の透過遷移では、ユーザー管理画面５２でゲスト認可ボタンＢ５を操作すると表示されるゲスト認可設定画面５３に遷移表示する（切り替える）例を示している。
【００７４】
ここで、下位階層に向けての透過遷移表示を繰り返し、２画面以上遷移するとき、どのような経路を辿って下位階層に遷移していくかを定める必要がある。言い換えると、遷移元画面と遷移先画面を切り替えて、下位階層への透過遷移表示を繰り返すとき、何れのボタンが操作されたときに表示される画面を、新たな遷移先画面とするかを定める必要がある。
【００７５】
ここで、以下のように、２画面以上にわたる下位階層に向けての透過画面切替の繰り返しで辿る経路を定めることができる。例えば、パネル制御部１０は、予め定められた画面遷移の経路を辿るように複数画面にわたる透過遷移表示を表示部１１に行わせるようにしてもよい。この場合、メモリー１８に、画面内に配されるボタン単位で、どのボタンに対し第１操作をおこなうと、どのような経路で画面を切り替えていくかを定義した経路データＤ３（図３参照）が記憶される。
【００７６】
また、パネル制御部１０は、表示されていく画面中に配されたボタンのうち、予め定められた位置のボタンが操作されたものとして、下位階層に向けて、複数画面にわたる透過遷移表示を表示部１１に行わせるようにしてもよい。この場合、メモリー１８に、画面内に配されるボタンのうち、どの位置のボタンを操作したと扱うかを定義した経路データＤ３（図３参照）が記憶される。尚、図１２は、表示されていく画面中に配されたボタンのうち、最も右下位置（右側かつ下側）に位置するボタンが操作されたものとして、遷移の経路を定める例を示している。
【００７７】
また、パネル制御部１０は、階層的に最も深い階層の画面に到ることができる経路を辿るように、下位階層に向けて、複数画面にわたる透過遷移表示を行うようにしてもよい。言い換えると、最下層に到るまでの切り替え画面数が最も多くなるように、経路を定めるようにしてもよい。この場合、ボタンごとに、階層的に最も深い階層の画面に到ることができる経路を定めたデータが経路データＤ３としてメモリー１８に記憶される（図３参照）。
【００７８】
そして、パネル制御部１０は、経路データＤ３に基づき、複数画面にわたる自動的な画面切り替え（下位階層の画面に向けての透過遷移表示を繰り返し）を、表示部１１に行わせる。
【００７９】
上記の何れかの手法により、画面遷移の経路を定めるようにすればよい。しかし、図１３に示すように、使用者が階層構造上、遷移元画面と遷移先画面を切り替えつつ、透過遷移表示を繰り返すときに辿る経路を予め設定できるようにしてもよい。
【００８０】
図１３は、画面遷移の経路を設定できる透過遷移設定画面５７の一例を示す。透過遷移設定画面５７は、操作パネル１に所定の操作を行うと表示させることができる。そして、透過遷移設定画面５７には、第１ボタンＢ１５（「定められた経路」の文字列を含むボタン）、第２ボタンＢ１６（「ボタン位置を基準」の文字列を含むボタン）、第３ボタンＢ１７（「最下位階層」の文字列を含むボタン）が設けられる。また、第２ボタンＢ１６に対し、４つのチェックボックスＣ１、Ｃ２、Ｃ３、Ｃ４が付される。
【００８１】
第１ボタンＢ１５は、予め定められた画面遷移の経路を辿るように、２以上の画面にわたって下位階層に向けての透過遷移表示を繰り返させるときに操作される。第３ボタンＢ１７は、階層的に最も深く、下位の画面に到ることができる経路を辿るように、２以上の画面にわたって、下位階層に向けての透過遷移表示を繰り返させるときに操作される。
【００８２】
また、第２ボタンＢ１６は、遷移後の画面中に配されたボタンのうち、予め定められた位置のボタンが操作されたものとして、２以上の画面にわたって、下位階層に向けての透過遷移表示を繰り返させるときに操作される。尚、チェックボックスＣ１〜Ｃ４によりボタンの位置を選択することができる。
【００８３】
また、図１２に示すように、パネル制御部１０は、透過遷移表示では、画面に表示されるボタンのうち、遷移先画面はどのボタンが操作されたときに表示される画面かを示すカーソルＣ５を表示部１１に表示させてもよい。言い換えると、パネル制御部１０は、画面の透過遷移において、操作されたものとして扱うボタンをカーソルＣ５によって表示部１１に強調表示させてもよい。尚、図１２の例では、楕円図形をカーソルＣ５として示しているが、矢印、○印、記号、文字など他の画像をカーソルＣ５として表示するようにしてもよい。
【００８４】
（遷移速度の設定）
次に、図１４〜図１７を用いて、実施形態に係る操作パネル１で、下位階層に向けての透過遷移表示を行うときの遷移速度（遷移に要する時間）の設定操作について説明する。図１４、１５は、実施形態に係る操作パネル１での第２操作の一例を説明するための図面である。図１６は、実施形態に係る操作パネル１での下位階層に向けての透過遷移での１階層あたりの遷移速度を定めた速度設定用データＤ４の一例を示す図である。図１７は、実施形態に係る操作パネル１での透過遷移表示の遷移操作設定画面５８の一例を示す図である。
【００８５】
本実施形態の表示入力装置（操作パネル１）では、遷移時間（ある遷移元画面から１つ下の階層の遷移先画面への遷移が完了するまでの時間）を第２操作により設定することができる。言い換えると、遷移速度は、透過遷移表示での遷移に要する時間を示す値ともいえる。
【００８６】
第２操作は、タッチパネル部１２に対し、２点タッチを行い、タッチ位置を予め定められた順方向に移動させる操作である。パネル制御部１０は、タッチパネル部１２の出力に基づき、第２操作について計測し、第１演算値を求める。続いて、パネル制御部１０は、求めた第１演算値に基づいて、遷移速度を定める。そして、パネル制御部１０は、第２操作がなされたとき、定めた遷移速度で、下位階層に向けての透過遷移表示を表示部１１に行わせる。
【００８７】
〈１．第２操作〉
まず、第２操作について説明する。図１４に示すように、本実施形態のタッチパネル部１２は、２点をタッチしたまま、タッチ位置を順方向に回転させる操作を第２操作として受け付ける。回転操作における予め定められた順方向は、適宜定めることができ、時計方向、又は、反時計方向が順方向と定められる。
【００８８】
そして、パネル制御部１０は、タッチパネル部１２の出力に基づき、２点のタッチ位置を回転させる操作を認識する。例えば、パネル制御部１０は、タッチパネル部１２の出力値の確認を続ける（所定の周期で確認する）。そして、パネル制御部１０は、タッチがなくなることなく、２点のタッチ位置の距離の変化が予め定められた範囲内に留まりつつ（指を近づけたり、離したりする操作ではなく、指の間隔がある程度保たれたまま）、タッチ位置のいずれか、又は、両方の座標が変化する操作を回転操作と認識する。
【００８９】
また、図１５に示すように、本実施形態のタッチパネル部１２は、２点をタッチしたまま、何れか一方のタッチ位置を予め定められた順方向に（順方向の成分が含まれるように）移動させる操作（１点移動操作）を第２操作として受け付けてもよい。このような１点移動操作を第２操作と扱う場合での予め定められた順方向は、上下左右など、適宜定めることができる。下位階層に向けての画面の切替が行われるので、本実施形態の表示入力装置では、順方向は下とし、指の操作方向と、階層の移動方向を合わせている。
【００９０】
この場合、パネル制御部１０は、タッチパネル部１２の出力に基づき、１点移動操作（２点のタッチのうち、何れか一方を移動させる操作）を認識する。例えば、パネル制御部１０は、タッチパネル部１２の出力値の確認を続ける（所定の周期で確認する）。そして、パネル制御部１０は、タッチがなくなることなく、２点のタッチ位置の距離の変化が予め定められた値を超えて、２点タッチのうち何れか一方のタッチ位置の座標が下方向に変化する操作を第２操作と認識する。
【００９１】
〈２．第１演算値〉
パネル制御部１０は、第２操作の操作内容について、第１演算値を求める。ここで、実施形態に係るパネル制御部１０は、第２操作の操作速度を第１演算値として求める。
【００９２】
図１４に示すように、順方向への２点のタッチ位置の回転操作を第２操作と扱う場合、パネル制御部１０は、タッチパネル部１２の出力に基づき、第２操作での回転速度を第１演算値として求める。例えば、パネル制御部１０は、タッチパネル部１２の出力に基づき、タッチ位置の回転操作開始から（タッチ位置の座標の変化の開始から）、終了までの時間を計測する。また、例えば、パネル制御部１０は、回転開始時の２点のタッチ位置を結ぶ直線と、回転操作後の２点のタッチ位置を結ぶ直線がなす角度θ１を第２操作での回転角度として求める。そして、パネル制御部１０は、計測した時間で、求めた回転角度を除すことで、第２操作の回転速度（第１演算値）を求めるようにしてもよい。
【００９３】
あるいは、パネル制御部１０は、タッチパネル部１２の出力に基づき、２点タッチ位置の回転操作の開始から終了までのタッチ位置の軌跡（距離、回転量）を確認する。そして、パネル制御部１０は、各タッチ位置の軌跡の長さや、回転開始時と回転後の同じ指のタッチ位置の移動距離（のうち大きい方）を、回転操作での操作量（回転量）として求めてもよい。また、パネル制御部１０は、他の手法により、回転角度が大きいほど、値が大きくなるように、回転操作の操作量を示す値を求めてもよい。そして、パネル制御部１０は、求めた回転量を、計測した時間（タッチ位置の回転操作開始から終了までの時間）で除し、回転での操作速度（第１演算値）を求めるようにしてもよい。
【００９４】
尚、パネル制御部１０は、タッチパネル部１２の出力に基づき、２点のタッチ位置の軌跡（タッチ位置の移動経路）を認識し、軌跡に基づき、回転方向を認識する。また、パネル制御部１０は、回転操作前と回転操作後の２点のタッチ位置（の座標）を結ぶ直線の傾きの変化に基づき、回転方向を認識するようにしてもよい。あるいは、パネル制御部１０は、タッチ位置の座標の変化パターンが、予め定められた回転操作時の座標の変化パターンと合致するか否かにより、回転操作がなされたか、及び、その回転方向を認識するようにしてもよい。また、他の手法により、回転方向が認識されてもよい。このように、パネル制御部１０は、２点のタッチ位置を順方向に回転させる操作がなされたことを認識する。
【００９５】
一方、２点タッチのうち、順方向成分を含む１点移動操作を第２操作と扱う場合、パネル制御部１０は、タッチパネル部１２の出力に基づき、１点移動操作でのタッチ位置の移動速度（操作速度）を第１演算値として求めてもよい。
【００９６】
例えば、パネル制御部１０は、タッチパネル部１２の出力に基づき、一方のタッチ位置の移動開始から終了までの時間を計測する。タッチパネル部１２は、計測した時間で、タッチ位置の操作量（移動距離）を除した値を第１演算値（第２操作の操作速度）として求めるようにしてもよい。
【００９７】
図１５に示すように、パネル制御部１０は、例えば、タッチ位置の移動の開始時と終了時のタッチ位置を結ぶ直線の長さ、あるいは、上下方向での移動の開始前と終了時の座標の差（例えば、Ｙ方向成分の長さ）を操作量として求める（何れでもよい）。そして、パネル制御部１０は、計測した時間で、求めた操作量を除した値を第１演算値（第２操作の操作速度）として求める。
【００９８】
尚、パネル制御部１０は、タッチパネル部１２の出力に基づき、一方のタッチ位置の移動の開始点と終点の座標に基づき、移動に順方向の成分を含むか否かにより、第２操作がなされたことを認識する。あるいは、パネル制御部１０は、タッチ位置の座標の変化パターンが、予め定められた１点移動操作の座標の変化パターンと合致するか否かにより、１点移動操作がなされたか、及び、タッチ位置の移動方向を認識するようにしてもよい。タッチパネル部１２は、順方向の成分を含んでいるとき第２操作がなされたと認識する。
【００９９】
また、操作速度を第１演算値として求めるのではなく、回転量やタッチ位置の移動量（移動距離）自体を第１演算値として求めるようにしてもよい。
【０１００】
順方向への２点のタッチ位置の回転操作を第２操作と扱う場合、パネル制御部１０は、タッチパネル部１２の出力に基づき、第２操作での回転量を第１演算値として求めてもよい。例えば、パネル制御部１０は、タッチパネル部１２の出力に基づき、２点タッチ位置の回転操作の開始から終了までの回転角度を回転量（第１演算値）として求めてもよい。図１４に示すように、例えば、パネル制御部１０は、回転開始時の２点のタッチ位置を結ぶ直線と、順方向への回転操作後の２点のタッチ位置を結ぶ直線がなす角度を、回転角度（第１演算値）として求めてもよい。
【０１０１】
あるいは、パネル制御部１０は、タッチパネル部１２の出力に基づき、２点タッチ位置の順方向への回転操作の開始から終了までのタッチ位置の軌跡（距離）を確認する。そして、パネル制御部１０は、各タッチ位置の軌跡の長さや、回転開始時と回転後のタッチ位置の座標の距離を、第２操作（回転操作）での操作量として求めてもよい。
【０１０２】
一方、２点タッチのうち、順方向成分を含む１点移動操作を第２操作と扱う場合、パネル制御部１０は、タッチパネル部１２の出力に基づき、第２操作でのタッチ位置の操作量（移動距離）を第１演算値として求めてもよい。
【０１０３】
この場合、パネル制御部１０は、タッチパネル部１２の出力に基づき、一方のタッチ位置の操作量（移動距離）を求める。例えば、パネル制御部１０は、タッチ位置の移動の開始時と終了時のタッチ位置（各座標）を結ぶ直線の長さ、あるいは、上下方向での移動前と移動後の座標の差（Ｙ方向成分の長さ）を操作量として計る。そして、パネル制御部１０は、計った操作量を第１演算値として求める。
【０１０４】
〈３．第１演算値に基づく下位階層に向けての遷移〉
次に、図１６を用いて、本実施形態の操作パネル１での第１演算値に基づく遷移速度の設定について説明する。
【０１０５】
本実施形態の操作パネル１のメモリー１８は、下位階層に向けての透過遷移表示において、求められた第１演算値に対応した画面の遷移速度に関するデータを定めた、遷移速度設定用データＤ４を記憶する（図３参照）。
【０１０６】
この遷移速度設定用データＤ４は、求められた第１演算値が大きいほど、表示部１１が遷移元画面から遷移先画面への遷移速度が速くなるように下位階層方向への透過遷移表示を行うように定義されている。また、この遷移速度設定用データＤ４は、求められた第１演算値が小さいほど、表示部１１が遷移元画面から遷移先画面への遷移速度が遅くなるように下位階層に向けての透過遷移表示を行うように定義されている。
【０１０７】
例えば、遷移速度設定用データＤ４には、遷移元画面からの透過開始から遷移先画面への透過完了までの時間（遷移時間）が定義される。パネル制御部１０は、第１測定値を求め、メモリー１８の遷移速度設定用データＤ４を参照し、求めた第１測定値に対応する遷移時間を読み出し、読み出した遷移時間で、遷移元画面から遷移元画面の１つ下の階層の画面への透過遷移を行う。言い換えると、遷移速度の単位は、１（画面）／遷移時間となる。
【０１０８】
例えば、パネル制御部１０は、透過開始（遷移開始）から透過完了（遷移完了）まで、所定回数、遷移元画面内の画素を遷移先画面の画素に置き換える処理を行って段階的に画像を変化させる。例えば、所定回数×１回の置き換え処理の画素数＝画面の総画素数という関係が成り立つように、１回の置き換え処理で置き換える画素数（一定数）が定められる。そこで、パネル制御部１０は、画素の置き換え処理の実行間隔（置き換え処理の周期）を調整することで、第１演算値に応じた遷移速度とする。
【０１０９】
例えば、遷移元画面から遷移先画面への遷移を行うとき、所定回数が１００であれは、定義された遷移時間が５秒のとき、パネル制御部１０は、置き換え処理の周期を０．０５秒とし、定義された遷移時間が２秒であれば、パネル制御部１０は、置き換え処理の周期を０．０２秒とする。言い換えると、パネル制御部１０は、第１計測値に対応し、定義された遷移時間を所定回数で除して得られる時間ごとに、置き換え処理を行い、時間が経過するごとに、遷移先画面の割合を（０→１００％まで）増やす。そのため、各第１演算値の範囲に対し、置き換え処理の周期を遷移速度設定用データＤ４に格納してもよい。尚、所定回数を増減させるなどにより、遷移速度を変えるようにしてもよい。
【０１１０】
いずれにしても、パネル制御部１０は、第１演算値が大きいほど、速く画面の透過遷移を表示部１１に行わせ、第１演算値が小さいほど、遅く画面の透過遷移を表示部１１に行わせる。例えば、最も早い速度は、最も遅い速度の数倍程度とされる。言い換えると、遷移元画面から遷移先画面への遷移に要する時間は、最も遅い場合に比べ、最も早い場合は数分の一程度とされる。
【０１１１】
図１６に示すように、遷移速度設定用データＤ４に、２点のタッチ位置を回転させる操作を第２操作として扱い、パネル制御部１０が、回転操作の速度に関する値を第１演算値として求める場合に対応するデータを含めることができる。図１６では、最上段の（１）の符号を付したブロックが対応する。尚、図１６の（１）部分の値の大小関係は、回転操作の速度に関する値においては、「Ｖ１１＜Ｖ１２＜Ｖｘ１」である。
【０１１２】
また、図１６に示すように、遷移速度設定用データＤ４には、２点のタッチ位置を回転させる操作を第２操作として扱い、パネル制御部１０が、回転操作での操作量に関する値を第１演算値として求める場合に対応するデータを含めることができる。図１６では、上から２段目の（２）の符号を付したブロックが対応する。尚、図１６の（２）部分での値の大小関係は、操作量に関する値においては、「Ｌ１１＜Ｌ１２＜Ｌｘ１」である。
【０１１３】
また、図１６に示すように、遷移速度設定用データＤ４には、順方向成分を含む１点移動操作を第２操作として扱い、パネル制御部１０が、操作速度（タッチ位置の移動速度）に関する値を第１演算値として求める場合に対応するデータを含めることができる。図１６では、上から３段目の（３）の符号を付したブロックが対応する。尚、図１６の（３）部分での値の大小関係は、操作速度に関する値においては、「Ｖ１３＜Ｖ１４＜Ｖｘ２」である。
【０１１４】
更に、図１６に示すように、遷移速度設定用データＤ４には、順方向成分を含む１点移動操作を第２操作として扱い、パネル制御部１０が、第２操作での操作量（移動距離）に関する値を第１演算値として求める場合に対応するデータを含めることができる。図１６では、最下段の（４）の符号を付したブロックが対応する。尚、図１６の（４）部分での値の大小関係は、操作量に関する値においては、「Ｌ１３＜Ｌ１４＜Ｌｘ２」である。
【０１１５】
そして、遷移速度設定用データＤ４では、遷移時間について、「Ｔ１１＞Ｔ１２＞Ｔｘ」の関係となっている。このような遷移速度設定用データＤ４での定義に基づくことにより、求められた第１演算値が大きいほど、遷移元画面から遷移先画面に透過遷移を完了するまでの遷移時間が短くなり、求められた第１演算値が小さいほど、遷移元画面から遷移先画面に透過遷移を完了するまでの遷移時間が長くなる。その結果、パネル制御部１０は、下位階層方向への透過遷移表示を行うとき、第１演算値が大きいほど遷移速度が速くなり、第１演算値が小さいほど遷移速度が遅くなる。
【０１１６】
本実施形態の操作パネル１（タッチパネル部１２）では、第２操作として適用し得る上記の操作のうち、何れの１つの操作が第２操作と受け付けられ、操作の速度と操作量のうち、何れか一方が第１演算値として求められるようにすればよい。
【０１１７】
そして、図１７に示すように、本実施形態の操作パネル１では、どのような操作を第２操作として受け付けるか、及び、どのような値を第１演算値として求めるかを、遷移操作設定画面５８で予め設定することができる。
【０１１８】
図１７は、遷移操作設定画面５８の一例を示す。タッチパネル部１２は、遷移操作設定画面５８に配された回転操作ボタンＢ２０（「回転操作」の文字列を含むボタン）や、１点移動操作ボタンＢ２１０（「１点移動操作」の文字列を含むボタン）に対する操作を受け付ける。言い換えると、タッチパネル部１２は、第１操作の後になされる回転操作を第２操作と扱うか（回転操作ボタンＢ２０に対応）、順方向成分を含む１点移動操作（１点移動操作ボタンＢ２１に対応）を第２操作と扱うかを選択する設定を受け付ける。尚、これらのボタンを設けず、２点のタッチ位置の回転操作や、１点移動操作の両方が第２操作として受け付けられてもよい。
【０１１９】
また、タッチパネル部１２は、遷移操作設定画面５８に配された操作速度ボタンＢ２２（「操作速度」の文字列を含むボタン）や、操作量ボタンＢ２３（「操作量(移動距離)」の文字列を含むボタン）に対する操作を受け付ける。言い換えると、タッチパネル部１２は、回転操作や１点移動操作の操作速度に関する値を第１演算値と求め、操作速度に比例して、遷移速度を速くする（遷移時間を短くする）か、回転操作や１点移動操作でのタッチ位置の移動量（移動距離）に関する値を第１演算値と求め、操作量（タッチ位置の移動距離）に比例して、遷移速度を速くする（遷移時間を短くする）か、を選択する設定を受け付ける。
【０１２０】
そして、パネル制御部１０は、タッチパネル部１２が遷移操作設定画面５８を表示中に、ＯＫボタンＢ１２に対する操作を受け付けたときの設定内容をメモリー１８に記憶させる。そして、パネル制御部１０は、メモリー１８に記憶させた設定内容に従い、第２操作を認識し、第１演算値を求め、下位階層への遷移での遷移時間を定める。
【０１２１】
（上位階層への遷移）
次に、図１８〜図２１を用いて、実施形態に係る操作パネル１での透過遷移モードでの上位階層への遷移を説明する。図１８は、実施形態に係る操作パネル１での上位階層への遷移を説明するための図である。図１９、２０は、実施形態に係る操作パネル１での逆方向操作の一例を説明するための図面である。図２１は、実施形態に係る操作パネル１での上位階層への透過遷移での１階層あたりの遷移時間を定めた遷移速度設定用データＤ４の一例を示す図である。
【０１２２】
透過遷移モードで第２操作がなされると、第２操作での使用者に動作に応じた速度で、下位階層に向けての画面の透過遷移表示が繰り返される。尚、最下層の画面に到達したときは、最下層の画面で遷移は停止される。
【０１２３】
しかし、透過遷移表示を繰り返す過程で表示された画面（経路中の画面）を再度確認したい場合がある。そこで、本実施形態のパネル制御部１０は、予め定められた逆方向操作がタッチパネル部１２になされたことを認識する。そして、透過遷移モードで逆方向操作がなされたとき（透過遷移の方向が下位階層の方向の状態のとき。最下位の階層の画面への遷移が完了している状態を含む。）、パネル制御部１０は、下位階層に向けての透過遷移表示を停止し、上位階層に向けての透過遷移表示を開始する（図１８参照）。
【０１２４】
上位階層に向けて透過遷移表示を行うとき、パネル制御部１０は、下位階層に向けての透過遷移表示での画面の切替過程を遡って巻き戻し再生するように、上位階層に向けての透過遷移表示を表示部１１に行わせる（巻き戻し再生）。更に、パネル制御部１０は、タッチパネル部１２の出力に基づき、逆方向操作でのタッチ位置を移動させる操作の操作速度、または、逆方向操作でのタッチ位置の操作量を第２演算値として求める。そして、パネル制御部１０は、求められた第２演算値が大きいほど、巻き戻し再生の速度が速くなるように上位階層にむけての透過遷移表示を行い、求められた第２演算値が小さいほど、巻き戻し再生の速度が遅くなるように上位階層に向けての透過遷移表示を行う。上位階層に向けての透過遷移表示は、再び第２操作がなされるか、通常モードに戻らない限り、第１操作がなされた画面への遷移が完了するまで、繰り返される。
【０１２５】
〈１．逆方向操作〉
まず、逆方向操作について説明する。図１９、２０に示すように、本実施形態のタッチパネル部１２は、第２操作（順方向）と逆方向の操作を逆方向操作として受け付ける。
【０１２６】
タッチパネル部１２は、順方向の回転操作を第２操作と受け付けるとき、第２操作と逆方向に２点のタッチ位置を回転する操作を逆方向操作として受け付ける。図１９は、順方向が左回り（反時計方向）であり、逆方向が右回り（時計方向）である例を示している。
【０１２７】
そして、パネル制御部１０は、タッチパネル部１２の出力に基づき、２点のタッチ位置を逆方向に回転させる操作を認識する。回転操作の認識手法は、順方向の場合（第２操作の場合）と同様でよく、説明を援用できるので、説明を割愛する。
【０１２８】
又、図２０に示すように、タッチパネル部１２は、２点をタッチしたまま、何れか一方のタッチ位置を順方向と逆方向に（逆方向の成分が含まれるように）移動させる操作（１点移動操作）を逆方向操作として受け付けてもよい。上述のように、本実施形態の表示入力装置では、１点移動操作での順方向は下であるので、上方向が逆方向となる。尚、１点移動操作をどのように認識するかの手法は、順方向の場合（第２操作の場合）と同様でよく、説明を援用できるので、説明を割愛する。
【０１２９】
〈２．第２演算値〉
そして、パネル制御部１０は、逆方向操作の操作内容（操作速度や操作量）について、第２演算値を求める。ここで、実施形態に係るパネル制御部１０は、逆方向操作の操作速度を第２演算値として求める。
【０１３０】
逆方向への２点のタッチ位置の回転操作を逆方向操作と扱うとき、パネル制御部１０は、タッチパネル部１２の出力に基づき、逆方向操作での回転速度を第２演算値として求める。第２演算値の求め方は、第１演算値と同様でよい。まず、パネル制御部１０は、タッチパネル部１２の出力に基づき、タッチ位置の逆回転操作開始から終了までの時間を計測する。
【０１３１】
そして、図１９に示すように、例えば、パネル制御部１０は、逆回転開始時の２点のタッチ位置を結ぶ直線と、逆回転操作後の２点のタッチ位置を結ぶ直線がなす角度θ２を逆方向操作での回転角度として計る。パネル制御部１０は、計測した時間で、２点タッチ位置の逆回転操作の開始から終了までの回転角度を除すことで、逆方向操作の回転速度（第２演算値）を求めるようにしてもよい。
【０１３２】
また、タッチパネル部１２は、２点タッチ位置の逆回転操作の開始から終了までのタッチ位置の軌跡（距離、逆回転量）を確認してもよい。そして、パネル制御部１０は、各タッチ位置の軌跡の長さや、逆回転開始時と逆回転後の同じ指のタッチ位置の移動距離を、逆回転操作での操作量（逆回転量）として求めてもよい。また、パネル制御部１０は、他の手法により、回転角度が大きいほど、値が大きくなるように、逆回転操作の操作量を示す値を求めてもよい。そして、パネル制御部１０は、求めた操作量を、計測した時間（タッチ位置の逆回転操作開始から終了までの時間）で除し、逆回転での操作速度（第２演算値）を求める。
【０１３３】
一方、２点タッチのうち、逆方向成分を含む１点移動操作を逆方向操作と扱う場合、パネル制御部１０は、タッチパネル部１２の出力に基づき、逆方向への１点移動操作でのタッチ位置の移動速度（操作速度）を第２演算値として求めてもよい。
【０１３４】
例えば、パネル制御部１０は、タッチパネル部１２の出力に基づき、一方のタッチ位置の移動開始から終了までの時間を計測する。タッチパネル部１２は、計測した時間で、タッチ位置の操作量（移動距離）を除した値を第２演算値（逆方向操作の操作速度）として求めるようにしてもよい。
【０１３５】
図２０に示すように、パネル制御部１０は、タッチ位置の移動の開始時と終了時のタッチ位置を結ぶ直線の長さ、あるいは、上下方向での移動の開始前と終了時の座標の差（例えば、Ｙ方向成分の長さ）を操作量として求める。そして、パネル制御部１０は、計測した時間で、求めた操作量を除した値を第２演算値（逆方向操作の操作速度）として求める。
【０１３６】
尚、パネル制御部１０は、タッチパネル部１２の出力に基づき、１点移動操作で移動させたタッチ位置の移動の開始点と終点の座標に基づき、移動に逆方向の成分を含むか否かにより、逆方向操作がなされたことを認識する。タッチパネル部１２は、逆方向の成分を含んでいるとき逆方向操作がなされたと認識する。
【０１３７】
また、操作の速度を第２演算値として求めるのではなく、逆回転量や逆方向への１点移動操作でのタッチ位置の操作量（移動距離）自体を第２演算値として求めるようにしてもよい。
【０１３８】
逆方向への２点のタッチ位置の回転操作を逆方向操作と扱う場合、パネル制御部１０は、タッチパネル部１２の出力に基づき、逆方向操作での逆回転量を第２演算値として求めてもよい。例えば、パネル制御部１０は、タッチパネル部１２の出力に基づき、２点タッチ位置の逆回転操作の開始から終了までの回転角度を逆回転量（第２演算値）として求めてもよい。図１９に示すように、例えば、パネル制御部１０は、逆回転開始時の２点のタッチ位置を結ぶ直線と、順方向への逆回転操作後の２点のタッチ位置を結ぶ直線がなす角度を、回転角度（第２演算値）として求めてもよい。
【０１３９】
あるいは、パネル制御部１０は、タッチパネル部１２の出力に基づき、２点タッチ位置の順方向への逆回転操作の開始から終了までのタッチ位置の軌跡（距離）を確認する。そして、パネル制御部１０は、各タッチ位置の軌跡（例えば、逆回転開始時と逆回転後のタッチ位置の距離）を、逆方向操作（逆回転操作）での操作量として求めてもよい。
【０１４０】
一方、２点タッチのうち、逆方向成分を含む１点移動操作を逆方向操作と扱う場合、パネル制御部１０は、タッチパネル部１２の出力に基づき、逆方向操作でのタッチ位置の操作量（移動距離）を第２演算値として求めてもよい。例えば、パネル制御部１０は、タッチパネル部１２の出力に基づき、逆方向に移動させられたタッチ位置の移動の開始時と終了時のタッチ位置（各座標）を結ぶ直線の長さ、あるいは、上下方向での移動前と移動後の座標の差（Ｙ方向成分の長さ）を操作量として計る。そして、パネル制御部１０は、計った操作量を第２演算値として求める。
【０１４１】
〈３．第２演算値に基づく遷移〉
次に、図２１を用いて、本実施形態の操作パネル１での第２演算値に基づく遷移速度の設定について説明する。
【０１４２】
本実施形態の操作パネル１のメモリー１８は、遷移速度設定用データＤ４として、上位階層に向けての透過遷移表示において、求められた第２演算値に対応した画面の遷移時間（透過なしの逆遷移元画面からの透過開始から逆遷移先画面への透過完了までの時間）を定めたデータも記憶する（図３参照）。
【０１４３】
遷移速度設定用データＤ４では、求められためられた第２演算値が大きいほど、パネル制御部１０は、巻き戻し再生（上位階層に向けての透過遷移表示）の速度が速くなるように上位階層にむけての透過遷移表示を表示部１１に行わせ、求められた第２演算値が小さいほど、巻き戻し再生の速度がおそくなるように定義されている。遅くなるように上位階層に向けての透過遷移表示を行う。
【０１４４】
より具体的に、上位階層に向けての透過遷移表示を説明する。まず、透過遷移モードの状態で、タッチパネル部１２に２点のタッチを行った状態で、第２操作での順方向と逆方向にタッチ位置を移動させる逆方向操作を受け付けたとき、パネル制御部１０は、タッチパネル部１２の出力に基づき、逆方向操作でのタッチ位置を移動させる操作の操作速度、または、逆方向操作でのタッチ位置の操作量を第２演算値として求める。
【０１４５】
下位階層にむけての透過遷移表示を行っている途中である状態で逆方向操作がなされたとき、パネル制御部１０は、下位階層に遷移する透過遷移表示を停止させる。そして、パネル制御部１０は、下位階層に向けての透過遷移表示での遷移先画面を逆遷移元画面とし、下位階層に向けての透過遷移表示での遷移元画面を逆遷移先画面とする。そして、パネル制御部１０は、上位階層方向への逆遷移元画面を時間の経過とともに次第に消しつつ、時間の経過とともに、逆遷移先画面の表示割合を増やす透過遷移表示を表示部１１に行わせる。
【０１４６】
一方、下位階層への透過遷移表示で、最下層の画面への遷移が完了しているとき、及び、遷移先画面への透過が完了した後、次の透過遷移表示を開始していない状態で逆方向操作がなされたとき、パネル制御部１０は、現在表示している画面を逆遷移元画面とし、現在表示している画面のひとつ上の階層の画面を逆遷移先画面として、上位階層に向けての透過遷移表示を表示部１１に行わせる。
【０１４７】
上限の階層に到達しておらず、第２操作や通常モードへの復帰なしに、逆遷移元画面の全透過により遷移が完了すると、パネル制御部１０は、逆遷移先画面を新たな逆遷移元画面とし、新たな逆遷移元画面よりもひとつ上の階層に位置する画面を新たな逆遷移先画面として、上位階層に向けての透過遷移表示を表示部１１に繰り返させる。
【０１４８】
更に、パネル制御部１０は、求められた第２演算値が大きいほど、逆遷移元画面から逆遷移先画面への遷移速度が速くなるように上位階層にむけての透過遷移表示を表示部１１に行わせ、求められた第２演算値が小さいほど、逆遷移元画面から逆遷移先画面への遷移速度がおそくなるように上位階層に向けての透過遷移表示を行う。
【０１４９】
そのため、遷移速度設定用データＤ４は、求められた第２演算値が大きいほど、逆遷移元画面から逆遷移先画面への遷移速度が速くなるように（遷移に要する時間が短くなるように）、求められた第２演算値が小さいほど、遷移速度が遅くなるように（遷移に要する時間が長くなるように）定義されている。パネル制御部１０は、第２測定値を求め、メモリー１８の遷移速度設定用データＤ４を参照し、求めた第２測定値に対応する遷移時間を読み出し、読み出した遷移時間で、遷移元画面から遷移元画面の１つ上の階層の画面への透過遷移を行う。
【０１５０】
例えば、パネル制御部１０は、上位階層に向けて、逆遷移元画面の透過開始（遷移開始）から逆遷移先画面への透過完了（遷移完了）まで、所定回数、逆遷移元画面の画素のうち、一定数の画素を、逆遷移先画面の画素に置き換える処理を繰り返し、表示部に表示する画面の段階的な変化を行わせる（下位階層に向けての場合と同様）。例えば、所定回数×１回の置き換え処理の画素数＝画面の総画素数という関係が成り立つように、１回の置き換え処理で置き換える画素数（一定数）が定められる。そこで、パネル制御部１０は、画素の置き換え処理の実行間隔（画像変化の実行間隔、各ステップの間隔）を調整することで、第２演算値に応じた遷移速度とする。
【０１５１】
例えば、逆遷移元画面から逆遷移先画面への遷移を行うとき、所定回数が１００であれは、定義された遷移時間が５秒のとき、パネル制御部１０は、置き換え処理の周期を０．０５秒とし、定義された遷移時間が２秒であれば、パネル制御部１０は、置き換え処理の周期を０．０２秒とする。言い換えると、パネル制御部１０は、第２計測値に対応し、定義された上位階層に向けての遷移時間を、所定回数で除して得られる時間を置き換え処理の周期とし、時間が経過するごとに逆遷移先画面の割合を（０→１００％まで）増やす。そのため、各第２演算値の範囲に対し、置き換え処理の周期を遷移速度設定用データＤ４に格納してもよい。尚、所定回数数を増減させるなどにより、遷移速度を変えるようにしてもよい。
【０１５２】
いずれにしても、パネル制御部１０は、第２演算値が大きいほど、速く上位階層に向けての画面の透過遷移を表示部１１に行わせ、第２演算値が小さいほど、遅く上位階層に向けての画面の透過遷移を表示部１１に行わせる。例えば、最も早い速度は、最も遅い速度の数倍程度とされる。
【０１５３】
尚、下位階層への遷移の途中で、逆方向操作がなされたとき、パネル制御部１０は、逆方向操作がなされた状態から、巻き戻すようにして、上位階層への透過遷移表示が行われる。このときにも、パネル制御部１０は、求めた第２演算値に基づき、定義された遷移時間を所定回数で除して得られる時間ごとに、逆遷移元画面の画素を逆遷移先画面の画面に置き換えて、上位階層に向けての透過遷移表示を表示部１１に行わせる。
【０１５４】
図２１に示すように、遷移速度設定用データＤ４には、逆方向に２点のタッチ位置を回転させる操作を逆方向操作として扱い、パネル制御部１０が、逆回転操作の速度に関する値を第２演算値として求める場合に対応するデータを含めることができる。図２１では、最上段の（１）の符号を付したブロックが対応する。尚、図２１の（１）部分での値の大小関係は、逆回転操作の速度に関する値においては、「Ｖ２１＜Ｖ２２＜Ｖｙ１」である。
【０１５５】
また、図２１に示すように、遷移速度設定用データＤ４には、２点のタッチ位置を回転させる操作を逆方向操作として扱い、パネル制御部１０が、逆回転操作での操作量に関する値を第２演算値として求める場合に対応するデータを含めることができる。図２１では、上から２段目の（２）の符号を付したブロックが対応する。尚、図２１の（２）部分での値の大小関係は、逆回転操作での操作量に関する値においては、「Ｌ２１＜Ｌ２２＜Ｌｙ１」である。
【０１５６】
また、図２１に示すように、遷移速度設定用データＤ４には、逆方向成分を含む１点移動操作を逆方向操作として扱い、パネル制御部１０が、操作速度（タッチ位置の移動速度）に関する値を第２演算値として求める場合に対応するデータを含めることができる。図２１では、上から３段目の（３）の符号を付したブロックが対応する。尚、図２１の（３）部分での値の大小関係は、操作速度に関する値においては、「Ｖ２３＜Ｖ２４＜Ｖｙ２」である。
【０１５７】
更に、図２１に示すように、遷移速度設定用データＤ４には、逆方向成分を含む１点移動操作を逆方向操作として扱い、パネル制御部１０が、逆方向操作での操作量（移動距離）に関する値を第２演算値として求める場合に対応するデータを含めることができる。図２１では、最下段の（４）の符号を付したブロックが対応する。尚、図２１の（３）部分での値の大小関係は、逆方向操作での操作量に関する値においては、「Ｌ２３＜Ｌ２４＜Ｌｙ２」である。
【０１５８】
そして、表示部１１が下位階層方向への透過遷移表示を行うとき、求められた第２演算値が大きいほど、遷移元画面から遷移先画面への遷移速度が短くなるように、遷移速度設定用データＤ４では、遷移時間について、「Ｔ２１＞Ｔ２２＞Ｔｙ」の関係となっている。
【０１５９】
（透過遷移モードの終了）
次に、透過遷移モード（透過遷移表示）の終了について説明する。
【０１６０】
タッチパネル部１２が予め定められた終了操作を受け付けたとき、パネル制御部１０は、透過遷移モード（下位階層又は上位階層に向けての透過遷移表示）を表示部１１に終了させる。
【０１６１】
ここで、終了操作は、適宜定めることができる。本実施形態の操作パネル１では、タッチパネル部１２から全ての指を離す操作が終了操作として扱われる。タッチパネル部１２の出力に基づき、パネル制御部１０は、何れの位置もタッチされていないと認識すると、終了操作がなされたと認識する。言い換えると、パネル制御部１０は、第１操作、第２操作の何れもがなされていない状態になったと認識すると、終了操作がなされた（全くタッチしなくなった）と判断する。尚、終了操作は、上記の例に限られず、タッチ位置を特定方向に動かす操作や、３点タッチ操作など、適宜定めることができる。
【０１６２】
終了操作がなされると、パネル制御部１０は、透過遷移表示を表示部１１に終了させる。言い換えると、操作パネル１（表示部１１、タッチパネル部１２）は、通常モードに戻り、何れかのボタンを操作しなければ、画面を切り替えない状態に戻る。そして、終了操作がなされると、パネル制御部１０は、第１操作が初めてなされた画面（透過遷移表示を開始した画面）を表示するようにしてもよい。これにより、複数階層分、遷移していても、いきなりもとの階層の画面を表示させることができる。
【０１６３】
また、終了操作がなされたとき、パネル制御部１０は、現在の遷移元画面（逆遷移先画面、上位階層側の画面）、又は、現在の遷移先画面（逆遷移元画面、下位階層側の画面）のみを表示部１１に表示させて、透過遷移表示を終了するようにしてもよい。このようにすれば、すでに複数階層分、画面が切り替えられていても、第１操作が初めてなされた画面から異なる階層の画面に飛ぶことができる。尚、遷移元画面と遷移先画面（逆遷移元画面と逆遷移元画面）のうち、終了操作がなされたときに表示している割合が大きい方の画面を表示させればよい。
【０１６４】
ここで、図１３に示すように、透過遷移設定画面５７で終了操作がなされたとき（透過遷移表示を終了したとき）に表示させる画面を設定できるようにしてもよい。この設定のため、透過遷移設定画面５７に、第４ボタンＢ１８（「最初の画面に戻る」の文字列を含むボタン）と第５ボタンＢ１９（「遷移した画面に留まる」の文字列を含むボタン）が配される。第４ボタンＢ１８は、終了操作がなされたとき、透過遷移表示を開始した画面を表示させるときに操作される。第５ボタンＢ１９は、終了操作がなされたとき、現在の遷移元画面、又は、現在の遷移先画面を表示部１１に表示させるときに操作される。
【０１６５】
（透過遷移表示の流れ）
次に、図２２を用いて、実施形態に係る操作パネル１での透過遷移表示の流れを説明する。図２２は、実施形態に係る操作パネル１での透過遷移表示の流れの一例を示すフローチャートである。
【０１６６】
図２２のスタートは、タッチパネル部１２の出力に基づき、画面内の何れかのボタンに対し、第１操作がなされた時点である。第１操作がなされると、パネル制御部１０は、操作パネル１（パネル制御部１０、表示部１１）を透過遷移モードとする（ステップ♯１）。そして、パネル制御部１０は、第２操作がなされたか否かを確認する（ステップ♯２）。第２操作がなければ、パネル制御部１０は、第２操作の有無の確認が続けられる（ステップ♯２のＮｏ→ステップ♯２）。
【０１６７】
一方、第２操作がなされたとき（ステップ♯２のＹｅｓ）、パネル制御部１０は、タッチパネル部１２の出力に基づき、第１演算値を求め、遷移速度（透過を開始していない遷移元画面から遷移先画面への透過遷移を完了するまでの時間）を定める（ステップ♯３）。
【０１６８】
そして、パネル制御部１０は、定めた遷移速度（遷移時間）に基づき、下位階層に向けての透過遷移表示を行う（ステップ♯４）。これにより、第２操作によって、下位階層に向けての透過遷移表示が開始される。尚、遷移元画面の画素が表示されなくなり、全画素が遷移先画面となり、更に下の階層の画面が存在しているとき、パネル制御部１０は、遷移先画面を新たな遷移元画面とし、新たな遷移元画面の１つ下の階層の画面を遷移先画面として、表示部１１に下位階層に向けての透過遷移表示を行わせる。これにより、パネル制御部１０は、逆方向操作や終了操作がない限り、最下位の階層に到達するまで、下位階層にむけての透過遷移表示を繰り返させる。
【０１６９】
ステップ♯４の後、パネル制御部１０は、逆方向操作がなされたか否かを確認する（ステップ♯５）。もし、逆方向操作がなされたとき（ステップ♯５のＹｅｓ）、パネル制御部１０は、下位階層に向けての透過遷移表示を一時停止させる（ステップ♯６）。そして、パネル制御部１０は、タッチパネル部１２の出力に基づき、逆方向操作についての第２演算値を求め、遷移速度（遷移時間）を定める（ステップ♯７）。
【０１７０】
そして、パネル制御部１０は、定めた遷移速度（遷移時間）に応じた、上位階層に向けての透過遷移表示を行う（ステップ♯８）。この逆方向操作によって、上位階層に向けての透過遷移表示が開始される。尚、逆遷移先画面への遷移が完了したときに（逆遷移元画面の画素が表示されなくなり、全画素が逆遷移先画面となると）、更に上の階層の画面への遷移が可能な場合、パネル制御部１０は、逆遷移先画面を新たな逆遷移元画面とし、新たな逆遷移元画面の１つ上の階層の画面を逆遷移先画面として、表示部１１に上位階層に向けての透過遷移表示を行わせる。これにより、パネル制御部１０は、第２操作や終了操作がない限り、第１操作がなされた画面に到達するまで、上位階層にむけての透過遷移表示を表示部１１に繰り返させる。
【０１７１】
そして、パネル制御部１０は、第２操作がなされたか否かを確認する（ステップ♯９）。第２操作がなされていれば（ステップ♯９のＹｅｓ）、フローは、ステップ♯３に戻る。この結果、上位階層に向けての透過遷移表示は停止され、下位階層に向けての透過遷移表示が再び開始される。言い換えると、透過遷移モードで、逆方向操作がなされた後、第２操作がなされたとき、パネル制御部１０は、上位階層に遷移する透過遷移表示を停止し、下位階層に向けての透過遷移表示を表示部１１に再開させる。
【０１７２】
一方、第２操作がなければ（ステップ♯９のＮｏ）、パネル制御部１０は、終了操作（例えば、全ての指をタッチパネル部１２から離す操作）がなされたか否かを確認する（ステップ♯１０）。もし、終了操作がなされていなければ（ステップ♯１０のＮｏ）、フローはステップ♯８に戻り、上位階層に向けての透過遷移表示が続けられる。
【０１７３】
また、逆方向操作がなされていないときにも同様に、パネル制御部１０は、終了操作がなされたか否かを確認する（ステップ♯１１）。もし、終了操作がなされていなければ（ステップ♯１１のＮｏ）、フローはステップ♯４に戻り、下位階層に向けての透過遷移表示が続けられる。
【０１７４】
一方、終了操作がなされたとき（ステップ♯１０のＹｅｓ、ステップ♯１１のＹｅｓ）、パネル制御部１０は、表示部１１に透過遷移表示を終了させ（透過遷移モードを終了させ）、通常の入力状態に戻す（ステップ♯１２）。そして、パネル制御部１０は、予めなされた透過遷移設定画面５７の設定に基づいた所定の画面（透過遷移表示を開始した画面、現在の遷移元画面、又は、現在の遷移先画面）を表示させる（ステップ♯１３）。そして、本フローは終了する。
【０１７５】
次に、上記の実施形態の変形例を説明する。
【０１７６】
（変形例１）
上記の実施形態では、下位階層に向けて透過遷移表示するとき、遷移元画面から遷移先画面への遷移が完了すると（遷移元画面の透過率が１００％となった時点で）、直ちに、遷移が完了した遷移先画面を新たな遷移元画面とし、新たな遷移元画面よりも１つ下位の階層の画面を遷移先画面として、透過遷移表示を開始する例を説明した。
【０１７７】
しかし、遷移元画面から遷移先画面への遷移が完了した時点から、新たな遷移元画面から遷移先画面への下位階層に向けての透過遷移表示を開始するまでに、待ち時間を設けるようにしてもよい。待ち時間は、遷移が完了した画面の内容を確認できる程度であればよく、１〜１０秒程度とすることができる。そして、画面への遷移完了から待ち時間が経過すると、パネル制御部１０は、表示部１１に透過遷移表示を再開させる。
【０１７８】
待ち時間を設ける場合、待ち時間中に逆方向操作がなされると、パネル制御部１０は、現在表示中の画面を逆遷移元画面とし、現在表示中の画面に対応し、現在表示中の画面よりも１つ上位の階層の画面を逆遷移先画面として、上位階層に向けて透過遷移表示を行うようにしてもよい。
【０１７９】
また、待ち時間を設ける場合、待ち時間中に終了操作がなされたとき、パネル制御部１０は、通常モードへの復帰とともに、表示部１１に、第１操作が初めてなされた画面（透過遷移表示を開始した画面）に画面を切り替えさせてよい。また、パネル制御部１０は、通常モードへの復帰とともに、現在の画面（待ち時間中に表示されている画面）を表示部１１に表示させるようにしてもよい。
【０１８０】
これにより、待ち時間を設けることで、使用者は遷移した画面を十分に確認することができる。また、透過遷移表示による画面の切り替えがどのような経路でなされているかがわかりやすくなる。
【０１８１】
（変形例２）
上記の実施形態では、第２操作に基づき、上位階層方向への逆遷移元画面から逆遷移先画面への遷移が完了すると（逆遷移元画面の透過率が１００％となった時点で）、直ちに遷移が完了した逆遷移先画面を新たな逆遷移元画面とし、新たな逆遷移元画面に対応し、新たな逆遷移元画面よりも１つ上の階層の画面を逆遷移先画面として、上位階層方向への透過遷移表示を開始する例を説明した。
【０１８２】
しかし、逆遷移元画面から逆遷移先画面への遷移が完了した時点から、新たな逆遷移元画面から、新たな逆遷移元画面よりも１つ上の階層の逆遷移先画面への透過遷移表示を開始するまでに、待ち時間を設けるようにしてもよい。待ち時間は、逆方向（上位階層方向）への遷移が完了した画面の内容を確認できる程度であればよく、１〜１０秒程度とすることができる。そして、画面への遷移完了から待ち時間が経過した後に、パネル制御部１０は、表示部１１に上位階層方向への透過遷移表示を再開させるようにしてもよい。
【０１８３】
また、上位階層方向への透過遷移表示の場合に待ち時間を設ける場合、待ち時間中に終了操作がなされると、パネル制御部１０は、通常モードへの復帰とともに、表示部１１に、第１操作が初めてなされた画面（透過遷移表示を開始した画面）に画面を切り替えさせてよい。また、パネル制御部１０は、通常モードへの復帰とともに、現在の画面（待ち時間中に表示されている画面）を表示部１１に表示させるようにしてもよい。
【０１８４】
これにより、上位階層への透過遷移表示がなされている状態のとき、待ち時間を設けることで、使用者は、どのような画面が表示されていたかを十分に確認することができる。また、上位階層への透過遷移表示のときにも、待ち時間が設けられるので、使用者は、透過遷移表示による画面の切り替えがどのような経路でなされたか理解しやすい。
【０１８５】
（変形例３）
また、上記の実施形態では、下位階層への透過遷移表示の繰り返しによって切り替えられる画面の経路が自動的に切り替えられる例を説明した。しかし、透過遷移表示中のタッチパネル部１２に対する操作によって、使用者が経路を選択できるようにしてもよい。
【０１８６】
例えば、パネル制御部１０は、タッチしたままのタッチ位置を、遷移中、又は、遷移完了時に表示された画面内のボタンの表示位置にずらす操作を、経路を選択する操作と認識してもよい。この場合、パネル制御部１０は、遷移が完了した画面を新たな遷移元画面とし、位置ずらしによる新たなタッチ位置に表示されたボタンを操作すると表示される画面を遷移先画面として、下位階層に向けての透過遷移表示を表示部１１に行わせてもよい。
【０１８７】
あるいは、パネル制御部１０は、第１操作に基づくタッチ位置をずらさないようにしつつ、遷移中、または、遷移完了時に表示された画面内のボタンの表示位置に対し、更にタッチする操作を、経路を選択する操作と認識してもよい。
【０１８８】
これにより、下位階層に向けて透過遷移表示が繰り返されるとき、階層を辿る経路を使用者の意思のもと定めることができる。
【０１８９】
（変形例４）
また、透過遷移表示の繰り返しによって最下位の階層に到達した状態で、設定値を設定できるようにしてもよい。
【０１９０】
例えば、パネル制御部１０は、下位階層に向けての透過遷移表示の繰り返しにより到達した最下位の階層の画面であって、設定値を設定するためのボタンの表示位置に対し、更にタッチする操作を、設定値を設定する操作と認識し、設定値の設定を受け付けてもよい。これにより、透過遷移表示を行う表示モードでも、設定値を設定することができる。
【０１９１】
このようにして、本実施形態の表示入力装置（操作パネル１）は、画面内にボタンを表示し、通常モードでは、操作されたボタンに応じて、表示中の画面から下位階層の画面と上位階層の画面の何れか一方に、表示する画面を切り替える表示部１１と、表示部１１の画面に対する操作と、表示部１１に表示されたボタンに対する操作を受け付けるためのタッチパネル部１２と、タッチパネル部１２の出力に基づき、タッチパネル部１２にタッチしたままタッチ位置を移動させる操作の操作速度、又は、タッチパネル部１２の出力に基づき、タッチパネル部１２にタッチしたままタッチ位置を移動させる操作がなされたときのタッチ位置の操作量を第１演算値として求める演算部（パネル制御部１０）と、を含み、タッチパネル部１２が予め定められた第１操作を受け付けたとき、表示部１１は、透過遷移モードとなり、透過遷移モードでは、現在表示中の画面である遷移元画面を時間の経過とともに次第に消して行き、時間の経過とともに、遷移元画面よりもひとつ下の階層に位置する遷移先画面の表示割合を増やす透過遷移表示を行い、遷移元画面の全透過により遷移が完了すると、遷移先画面を新たな遷移元画面とし、新たな遷移元画面よりもひとつ下の階層に位置する画面を新たな遷移先画面として、下位階層に向けての透過遷移表示を繰り返し、演算部は、透過遷移モードでは、タッチパネル部１２に対して、２点のタッチを行った状態で、タッチ位置を予め定められた順方向に移動させる第２操作について第１演算値を求め、表示部１１は、求められた第１演算値が大きいほど、遷移元画面から遷移先画面への遷移速度が速くなるように下位階層方向への透過遷移表示を行い、求められた第１演算値が小さいほど、遷移元画面から遷移先画面への遷移速度が遅くなるように下位階層に向けての透過遷移表示を行うこととした。
【０１９２】
。これにより、何度もボタンを選択する操作を行うことなく、自動的、連続的に、下位階層に向けて、表示画面を切り替えることができる。また、簡易に、複数階層にわたり、どのような画面があるか、どの階層にどのような画面が配されているかを容易に確認することもできる。また、透過遷移表示により遷移先画面（下位の階層）の画面が次第に表示されるような態様で自動的、連続的な画面の遷移がなされるので、通常（通常モード）での画面の切替と、透過遷移表示による画面の切替を差別化することができる。
【０１９３】
しかも、得られた第１演算値が大きいほど、表示部１１は、遷移元画面から遷移先画面への遷移速度が速くなるように（遷移開始から遷移完了までの時間が短くなるように）透過遷移表示を行い、求められた第１演算値が小さいほど、遷移元画面から遷移先画面への遷移速度が短くなるように（遷移開始から遷移完了までの時間が短くなるように）下位階層に向けての透過遷移表示を行う。これにより、下位階層に向けての透過遷移表示において、簡易なジェスチャー操作により、画面の切替時間（遷移速度）を自由に定めることができる。また、操作の強弱に対応して（比例して）、遷移速度が定まるので、速度調整用のスイッチを操作するような、直感的、感覚的な操作に基づき、遷移速度（遷移に要する時間の長短）を調整することができる。従って、使用者は、速い操作や、タッチ位置の操作量を長くするだけで、確認したい複数階層下の画面を素早く表示させることができる。また、時間をかけて各画面を確認したいとき、使用者は、遅い操作や、タッチ位置の操作量を短くするだけで、下位階層に向けての画面の遷移速度を遅くして、各画面をよく確認することができる。従って、使用者は、意図に合致するように、下位階層に向けての透過遷移表示での画面の切替速度を簡易に調整することができる。
【０１９４】
また、タッチパネル部１２は、２点のタッチ位置のうち一方を移動させる操作である１点移動操作と、タッチ位置を回転させる操作のうち、何れか一方、又は両方を第２操作として受け付けることとした。これにより、タッチ位置を回転させたり、タッチ位置を移動させたりする簡易な操作（ジェスチャー操作）で、画面の遷移速度を調整することができる。
【０１９５】
また、下位階層に向けて透過遷移表示を続けるとき、表示部１１は、予め定められた画面遷移の経路を辿るように複数画面にわたる透過遷移表示を行うか、表示されていく画面中に配されたボタンのうち、予め定められた位置のボタンが操作されたものとして複数画面にわたる透過遷移表示を行うか、又は、階層的に最も深く、下位の画面に到ることができる経路を辿るように複数画面にわたる透過遷移表示を行うこととした。
【０１９６】
この構成によれば、下位階層に向けて透過遷移表示を続けるとき、表示部１１は、予め定められた画面遷移の経路を辿るように複数画面にわたる透過遷移表示を行わせることができる。この場合、使用者は何ら操作することなく、自動的に下位階層の画面を次々に表示させ、画面の内容を確認することができる。また、表示されていく画面中に配されたボタンのうち、予め定められた位置のボタンが操作されたものとして複数画面にわたる透過遷移表示を行わせることもできる。この場合、使用者は何ら操作することなく、一定の法則性のもと、自動的に下位階層の画面を次々に表示させ、画面の内容を確認することができる。また、階層的に最も深く、下位の画面に到ることができる経路を辿るように複数画面にわたる透過遷移表示を行わせることもできる。この場合、最も深い（最下位の）階層まで、使用者は何ら操作することなく、自動的に下位階層の画面を次々に確認することができる。
【０１９７】
また、透過遷移モードの状態で、タッチパネル部１２が２点のタッチを行った状態で、第２操作での順方向と逆方向にタッチ位置を移動させる逆方向操作を受け付けたとき、演算部（パネル制御部１０）は、タッチパネル部１２の出力に基づき、逆方向操作でのタッチ位置を移動させる操作の操作速度、または、逆方向操作でのタッチ位置の操作量を第２演算値として求め、表示部１１は、下位階層に向けての透過遷移表示での画面の切替過程を遡って巻き戻し再生するように、上位階層に向けての透過遷移表示を行い、求められた第２演算値が大きいほど、巻き戻し再生の速度が速くなるように上位階層にむけての透過遷移表示を行い、求められた第２演算値が小さいほど、巻き戻し再生の速度が遅くなるように上位階層に向けての透過遷移表示を行うこととした。これにより、下位階層に向けての画面の連続的な遷移を行っている間、下位階層方向だけでなく上位階層方向にも、透過する連続的な表示変化を行って画面を遷移させることができる。また、使用者は、遷移により一旦表示された画面を再確認することができる。
【０１９８】
また、表示部１１は、求められた第２演算値が大きいほど、逆遷移元画面から逆遷移先画面への遷移速度が速くなるように上位階層にむけての透過遷移表示を行い、求められた第２演算値が小さいほど、逆遷移元画面から逆遷移先画面への遷移速度が遅くなるように上位階層に向けての透過遷移表示を行う。これにより、上位階層に向けての透過遷移表示（画面の切替）において、簡易なジェスチャー操作により、ある画面から１つ上の階層への画面の切替に要する時間（遷移速度）を自由に定めることができる。また、操作の強弱に対応するように（比例するように）、遷移速度を操作することができる。従って、使用者は、速い操作や、タッチ位置の操作量を長くするだけで、素早く前に表示された画面を表示させることができる。また、時間をかけて各画面を確認したいとき、使用者は、遅い操作や、タッチ位置の操作量を短くするだけで、上位階層方向への画面の遷移速度を遅くし、有る画面の透過開始から、次の画面に完全に切り替わるまでの時間を長くすることができる。従って、使用者の意思に合致するような透過遷移表示を表示部１１に簡易に行わせることができる。
【０１９９】
また、タッチパネル部１２は、タッチ位置を順方向とは逆方向に回転させる操作と、順方向とは逆方向への１点移動操作の何れか一方、又は両方を逆方向操作として受け付ける。これにより、タッチ位置を回転させたり、タッチ位置を払ったりするような簡易な操作（ジェスチャー操作）で、透過遷移表示での画面の遷移方向（下位階層に向けて遷移するか、上位階層に向けて遷移するか）を変えることができる。しかも、下位階層に向けて透過遷移表示を行うときと、逆方向への操作という意味合いと、階層における遷移する方向の逆行という意味合いが重なっている。従って、遷移のスイッチを逆に切り替えるような、直感的、感覚的な操作に基づき、逆方向への遷移を行わせることができ、使いやすさを高めることができる。
【０２００】
また、透過遷移モードで、逆方向操作がなされた後、第２操作がなされたとき、表示部１１は、上位階層に遷移する透過遷移表示を停止し、下位階層に向けての透過遷移表示を再開する。これにより、透過遷移モードで、下位階層方向への遷移と、上位階層方向への遷移を自由に切り替えることができる。従って、使用者は、簡単な操作で、階層間を自由に移動させることができる。
【０２０１】
また、タッチパネル部１２は、画面内に表示された何れかのボタンを長押しする操作、又は、画面内に表示された何れかのボタンの表示位置をタッチした後、更にタッチを行う操作を第１操作として受け付け、表示部１１は、第１操作がなされた画面を最初の遷移元画面とし、通常の操作でボタンを操作すると表示される画面を最初の遷移先画面として、下位階層に向けての透過遷移表示を行うこととした。これにより、下位の階層の画面を確認したいボタンに対して第１操作を行うことで、遷移する画面の範囲を限定し、遷移する階層上の経路を初期段階で絞り込むことができる。
【０２０２】
また、タッチパネル部１２が予め定められた終了操作を受け付けたとき、表示部１１は、透過遷移モードを終了して通常モードに戻り、第１操作がなされた画面を表示するようにしてもよい。これにより、終了操作により透過遷移表示を終了したとき、透過遷移表示開始時の画面に、１又は複数階層飛び越えて、いきなり戻ることができる。
【０２０３】
また、タッチパネル部１２が予め定められた終了操作を受け付けたとき、表示部１１は、透過遷移モードを終了して通常モードに戻り、遷移元画面又は逆遷移元画面と、遷移先画面又は逆遷移先画面のうち、何れかの画面を表示するようにしてもよい。これにより、遷移により表示されている画面で通常モードに戻ることができる。
【０２０４】
また、画像形成装置（複合機１００）は、上述の表示入力装置（操作パネル１）を含む。これにより、第１操作や第２操作を行えば、ブタンを押す操作を繰り返すことなく、下位階層方向や上位階層方向への複数階層にわたる自動的な画面の遷移の繰り返しを行わせることができる。このように、各階層にどのような画面があるか容易に確認できる表示入力装置（操作パネル１）を含むので、各階層の画面を確認しやすく、入力の容易な画像形成装置を提供することができる。しかも、ジェスチャー操作（第２操作）によって、ある画面から１つ下位、又は、１つ上位の階層への遷移に要する時間（遷移速度）をコントロールすることかでき、使用者の意図に沿うような透過遷移表示がなされ、設定の行いやすい画像形成装置を提供することができる。
【０２０５】
本発明の実施形態を説明したが、本発明の範囲はこれに限定されるものではなく、発明の主旨を逸脱しない範囲で種々の変更を加えて実施することができる。
【産業上の利用可能性】
【０２０６】
本発明は、表示部とタッチパネル部を有する表示入力装置や、画像形成装置に利用可能である。
【符号の説明】
【０２０７】
１００  複合機（画像形成装置）          １      操作パネル（表示入力装置）
１０    パネル制御部（演算部）          １１    表示部
１２    タッチパネル部
【図１】
0005934688.tif 000002
【図３】
0005934688.tif 000003
【図４】
0005934688.tif 000004
【図５】
0005934688.tif 000005
【図６】
0005934688.tif 000006
【図７】
0005934688.tif 000007
【図８】
0005934688.tif 000008
【図９】
0005934688.tif 000009
【図１０】
0005934688.tif 000010
【図１３】
0005934688.tif 000011
【図１４】
0005934688.tif 000012
【図１５】
0005934688.tif 000013
【図１６】
0005934688.tif 000014
【図１７】
0005934688.tif 000015
【図１９】
0005934688.tif 000016
【図２０】
0005934688.tif 000017
【図２１】
0005934688.tif 000018
【図２２】
0005934688.tif 000019
【図２】
0005934688.tif 000020
【図１１】
0005934688.tif 000021
【図１２】
0005934688.tif 000022
【図１８】
0005934688.tif 000023